(57)【要約】【課題】フィルムを貼ることによりポケットが設けられた包装体において、ポケットから被収納物が脱落するおそれがなく、また、ユーザーがポケットの存在を容易に知ることができる包装体を提供する。【解決手段】シート状部材６０が、上面部本体２２と一対の突状部２４、２６に接着され、シート状部材６０がその３辺に沿って上面部本体２２に接着されていることにより、シート状部材６０によりポケットが構成される。突状部２４、２６を上面部本体２２に対して外側に折り返した状態で蓋部３０を閉じた場合には、シート状部材６０も折り返した状態となる。また、蓋部３０を開状態にすると、突状部２４、２６が折り返した状態から復帰しようとして、上面部本体２２に対して立ち上がった状態となり、シート状部材６０の先端側の領域も立ち上がった状態となるので、ポケットの存在を容易に知らせることができる。【選択図】図４
2019099209.tif 000002
【特許請求の範囲】
【請求項１】
シート状のブランクにより形成された包装体で、
包装体本体（５、５’）と、合成樹脂製のシート状部材（６０）とを有し、
包装体本体は、
平板状の複数の面部を有し、開口部と開口部から連通した収納空間とを有する本体部（７）と、
本体部から連設された蓋部（３０）と、を有し、
本体部の複数の面部において、蓋部により開口部を閉じた状態で蓋部が重なる面部である特定面部（２０）が、本体部の特定面部以外の面部とともに本体部の収納空間を構成する特定面部本体（２２）と、特定面部本体から折れ線を介して開口部側に突出して形成された一対の突状部（２４、２６）とを有し、該一対の突状部が間隔を介して設けられ、一対の突状部における一方の突状部と特定面部本体間の折れ線（Ｃ２４）と他方の突状部と特定面部本体間の折れ線（Ｃ２６）は同一直線上に形成され、
シート状部材が、特定面部本体の内側の面と一対の突状部の内側の面に接着され、シート状部材により、特定面部本体の一対の突状部側の端部側が開口したポケット状の収納部が設けられ、
一対の突状部を特定面部本体に対して折り曲げた際に、シート状部材も折り曲げた状態となり、
一対の突状部を特定面部本体に対して外側に折り返した状態で蓋部により開口部を閉じた場合には、シート状部材の一対の突状部側の領域である先端側の領域（６０Ａ）がシート状部材における先端側の領域以外の領域（６０Ｂ）に対して該先端側の領域の内側が外側となるように反転した状態で、該先端側の領域と一対の突状部が、蓋部と特定面部本体の間に挟まれた状態となることを特徴とする包装体。
【請求項２】
シート状部材が、略方形状を呈し、シート状部材の一対の突状部側の辺部である先端側辺部（６０ａ）が一対の突状部と特定面部本体間の折れ線（Ｃ２４、Ｃ２６）と略平行であり、該先端側辺部以外の３辺に沿った領域が特定面部に接着され、該３辺に沿った領域のうち該先端側辺部に隣接する一方の辺部に沿った領域（６０−１）は、特定面部本体と一方の突状部（２４）に接着され、該３辺に沿った領域のうち該先端側辺部に隣接する他方の辺部に沿った領域（６０−３）は、特定面部本体と他方の突状部（２６）に接着されていることを特徴とする請求項１に記載の包装体。
【請求項３】
蓋部は、本体部から連設された基端部（３２）と、基端部から切断予定線（Ｋ３２、Ｋ３４）を介して連設された先端部（３４）とを有し、先端部を特定面部本体に固定させることにより蓋部により開口部が閉じた状態となることを特徴とする請求項１又は２に記載の包装体。
【請求項４】
シート状のブランクにより形成された包装体で、
包装体本体（５、５’）と、合成樹脂製のシート状部材（６０）とを有し、
包装体本体は、本体部（７）と、本体部から連設された蓋部（３０）とを有し、
本体部は、
互いに平行な正面側と背面側の２つの辺部と、該２つの辺部と直角をなす互いに平行な右側面側と左側面側の２つの辺部とを有する底面部（１０）と、
底面部の正面側の辺部から折れ線を介して連設された上面部で、底面部から連設された上面部本体（２２）と、上面部本体の背面側の辺部から折れ線を介して連設された一対の突状部（２４、２６）とを有し、該一対の突状部が左右方向に間隔を介して設けられ、一対の突状部における一方の突状部と上面部本体間の折れ線（Ｃ２４）と他方の突状部と上面部本体間の折れ線（Ｃ２６）が同一直線上に形成された上面部（２０）と、
底面部と上面部本体の一方の右側面側の辺部から折れ線を介して連設され、底面部と上面部本体の他方に接着された第１糊代部（４０）と、
底面部と上面部本体の一方の左側面側の辺部から折れ線を介して連設され、底面部と上面部本体の他方に接着された第２糊代部（５０）と、を有し、
シート状部材が、上面部本体の内側の面と一対の突状部の内側の面に接着され、シート状部材により、上面部本体の背面側の端部側が開口したポケット状の収納部が設けられ、
一対の突状部を上面部本体に対して折り曲げた際に、シート状部材も折り曲げた状態となり、
蓋部は、底面部の背面側の辺部から折れ線を介して連設され、蓋部を閉じた状態では、蓋部が上面部に重なり、
一対の突状部を上面部本体に対して外側に折り返した状態で蓋部を閉じた場合には、シート状部材の一対の突状部側の領域である先端側の領域（６０Ａ）がシート状部材における先端側の領域以外の領域（６０Ｂ）に対して該先端側の領域の内側が外側となるように反転した状態で、該先端側の領域と一対の突状部が、蓋部と上面部本体の間に挟まれた状態となることを特徴とする包装体。
【請求項５】
シート状のブランクにより形成された包装体で、
包装体本体（５、５’）と、合成樹脂製のシート状部材（６０）とを有し、
包装体本体は、本体部（７）と、本体部から連設された蓋部（３０）とを有し、
本体部は、
互いに平行な正面側と背面側の２つの辺部と、該２つの辺部と直角をなす互いに平行な右側面側と左側面側の２つの辺部とを有する底面部（１０）と、
底面部の正面側の辺部から折れ線を介して連設された第１側面部（７８）と、
底面部の右側面側の辺部から折れ線を介して連設された第２側面部（７４）と、
底面部の左側面側の辺部から折れ線を介して連設された第３側面部（７６）と、
第２側面部の底面部とは反対側の辺部から折れ線を介して連設された第１上面フラップ（８０）と、
第３側面部の底面部とは反対側の辺部から折れ線を介して連設された第２上面フラップ（８２）と、
第１側面部の底面部とは反対側の辺部から折れ線を介して連設された上面部で、底面部から連設された上面部本体（２２）と、上面部本体の背面側の辺部から折れ線を介して連設された一対の突状部（２４、２６）とを有し、該一対の突状部が左右方向に間隔を介して設けられ、一対の突状部における一方の突状部と上面部本体間の折れ線（Ｃ２４）と他方の突状部と上面部本体間の折れ線（Ｃ２６）が同一直線上に形成された上面部（２０）と、を有し、
シート状部材が、上面部本体の内側の面と一対の突状部の内側の面に接着され、シート状部材により、上面部本体の背面側の端部側が開口したポケット状の収納部が設けられ、
一対の突状部を上面部本体に対して折り曲げた際に、シート状部材も折り曲げた状態となり、
蓋部は、底面部の背面側の辺部から折れ線を介して連設され、蓋部を閉じた状態では、蓋部が上面部に重なるとともに、上面部本体部が、第１上面フラップと第２上面フラップに重なり、
一対の突状部を上面部本体に対して外側に折り返した状態で蓋部を閉じた場合には、シート状部材の一対の突状部側の領域である先端側の領域（６０Ａ）がシート状部材における先端側の領域以外の領域（６０Ｂ）に対して該先端側の領域の内側が外側となるように反転した状態で、該先端側の領域と一対の突状部が、蓋部と上面部本体の間に挟まれた状態となることを特徴とする包装体。
【請求項６】
シート状部材が、略方形状を呈し、シート状部材の一対の突状部側の辺部である先端側辺部（６０ａ）が一対の突状部と上面部本体間の折れ線（Ｃ２４、Ｃ２６）と略平行であり、該先端側辺部以外の３辺に沿った領域が上面部に接着され、該３辺に沿った領域のうち右側面側の領域（６０−１）は、上面部本体と一対の突状部における右側面側の突状部（２４）に接着され、該３辺に沿った領域のうち左側面側の領域（６０−３）は、上面部本体と一対の突状部における左側面側の突状部（２６）に接着されていることを特徴とする請求項４又は５に記載の包装体。
【請求項７】
蓋部は、底面部から連設された基端部（３２）と、基端部から切断予定線（Ｋ３２、Ｋ３４）を介して連設された先端部（３４）とを有し、先端部を上面部本体に固定させることにより蓋部が閉じた状態となることを特徴とする請求項４又は５又は６に記載の包装体。
【請求項８】
上面部本体には、一方の突状部との間の折れ線（Ｃ２４）と他方の突状部との間の折れ線（Ｃ２６）の間の辺部により形成された切欠部（Ｋ２２）が設けられ、該切欠部の領域の内側にシート状部材が設けられ、蓋部が本体部に対して開いている状態では、シート状部材が該切欠部から外部に露出していることを特徴とする請求項４又は５又は６又は７に記載の包装体。
【発明の詳細な説明】
【技術分野】
【０００１】
本発明は、紙製の包装容器に関するものであり、特に、フィルムを貼ることによりポケット状の収納部が設けられた包装容器に関するものである。
【背景技術】
【０００２】
従来より、フィルムを貼り付けることによりポケット状の収納部が設けられた包装体として、特許文献１に記載の隠しポケット付き包装体が存在する。
【０００３】
特許文献１の隠しポケット付き包装体においては、包装本体２の内面のうち糊代部２１と接合される縁部２２内面に隠しポケット３がその開口部３１を前記縁部２２の外側方向に向けて設けられており、例えば、１枚の矩形状隠しポケット材料の３辺に沿って接着剤を所定幅で塗布した後、残りの１辺を縁部２２に形成されるタグ類挿入口４に位置合わせして貼付することにより、縁部２２の内面と矩形状隠しポケット材料との間にタグ類Ｔを収容可能とする隠しポケット３が構成される。
【先行技術文献】
【特許文献】
【０００４】
【特許文献１】特開２０１０−１３７８９３号公報
【発明の概要】
【発明が解決しようとする課題】
【０００５】
しかし、特許文献１の包装体においては、隠しポケット３の開口部３１が常に外部に向けて開口した状態であるので、隠しポケットに収納した被収納物が隠しポケット３から脱落してしまうおそれがある。
【０００６】
また、隠しポケット３は包装本体２の内側に設けられ、隠しポケット３は包装体の外側からはタグ類用切欠部５からわずかに見えるのみであり、ユーザーは、隠しポケット３の存在に気づくことができず、隠しポケットに収納された被収納物の存在を知ることができないという問題がある。特に、隠しポケット３が透明な素材で形成されている場合には、ユーザーは、隠しポケット３の存在に気づくことができない。
【０００７】
そこで、フィルムを貼ることによりポケットが設けられた包装体において、ポケットから被収納物が脱落するおそれがなく、また、ユーザーがポケットの存在に容易に気づくことができる包装体を提供することを目的とするものである。
【課題を解決するための手段】
【０００８】
本発明は上記問題点を解決するために創作されたものであって、第１には、シート状のブランクにより形成された包装体で、包装体本体（５、５’）と、合成樹脂製のシート状部材（６０）とを有し、包装体本体は、平板状の複数の面部を有し、開口部（Ｋ７）と開口部から連通した収納空間とを有する本体部（７）と、本体部の開口部から連設された蓋部（３０）と、を有し、本体部の複数の面部において、蓋部により開口部を閉じる際に蓋部が重なる面部である特定面部（２０）が、本体部の特定面部以外の面部とともに本体部の収納空間を構成する特定面部本体（２２）と、特定面部本体から折れ線を介して開口部側に突出して形成された一対の突状部（２４、２６）とを有し、該一対の突状部が間隔を介して設けられ、一対の突状部における一方の突状部と特定面部本体間の折れ線（Ｃ２４）と他方の突状部と特定面部本体間の折れ線（Ｃ２６）は同一直線上に形成され、シート状部材が、特定面部本体の内側の面と一対の突状部の内側の面に接着され、シート状部材により、特定面部本体の一対の突状部側の端部側が開口したポケット状の収納部（「一対の突状部側に第２開口部（Ｋ６２）を有するポケット状の収納部」としてもよい）が設けられ、一対の突状部を特定面部本体に対して折り曲げた際に、シート状部材も折り曲げた状態となり、一対の突状部を特定面部本体に対して外側に折り返した状態で蓋部により開口部を閉じた場合には、シート状部材の一対の突状部側の領域である先端側の領域（６０Ａ）がシート状部材における先端側の領域以外の領域（６０Ｂ）に対して該先端側の領域の内側が外側となるように反転した状態（「折り返した状態」としてもよい）で、該先端側の領域と一対の突状部が、蓋部と特定面部本体の間に挟まれた状態となることを特徴とする。
【０００９】
第１の構成の包装体においては、本体部におけるシート状部材の特定面部側とは反対側の空間に被収納物を収納するとともに、ポケット状の収納部に他の被収納物を収納して使用する。一対の突状部を特定面部本体に対して外側に折り返した状態で蓋部により開口部を閉じた状態から蓋部を開状態にすると、折り返されていた一対の突状部が折り返された状態から復帰しようとして、特定面部本体に対して立ち上がった状態となり、シート状部材の先端側の領域も立ち上がった状態となるので、ポケット状の収納部に収納されていた被収納物が脱落するのを防止することができる。また、一対の突状部を特定面部本体に対して外側に折り返した状態で蓋部により開口部を閉じた場合には、シート状部材の先端側の領域の内側が外側となるように反転した状態となり、シート状部材も折り返した状態となっているので、被収納物がポケット状の収納部から飛び出すことがなく、蓋部を開状態にした際に、被収納物が包装体から脱落するおそれがない。
【００１０】
また、蓋部を開状態にすると、一対の突状部が特定面部本体に対して立ち上がった状態となり、シート状部材の先端側の領域も立ち上がった状態となるので、ポケット状の収納部の存在に容易に気づくことができる。
【００１１】
なお、上記第１の構成において、一対の突状部を特定面部本体に対して外側に折り返した状態で蓋部により開口部を閉じた状態から蓋部を開状態とした場合には、一対の突状部が特定面部本体に対して立ち上がった状態となるものとしてもよい。
【００１２】
また、第２には、上記第１の構成において、シート状部材が、略方形状を呈し、シート状部材の一対の突状部側の辺部である先端側辺部（６０ａ）が一対の突状部と特定面部本体間の折れ線（Ｃ２４、Ｃ２６）と略平行であり、該先端側辺部以外の３辺に沿った領域が特定面部に接着され、該３辺に沿った領域のうち該先端側辺部に隣接する一方の辺部に沿った領域（６０−１）は、特定面部本体と一方の突状部（２４）に接着され、該３辺に沿った領域のうち該先端側辺部に隣接する他方の辺部に沿った領域（６０−３）は、特定面部本体と他方の突状部（２６）に接着されていることを特徴とする。
【００１３】
また、第３には、上記第１又は第２の構成において、蓋部は、本体部から連設された基端部（３２）と、基端部から切断予定線（Ｋ３２、Ｋ３４）を介して連設された先端部（３４）とを有し、先端部を特定面部本体の外側の面に接着させることにより蓋部により開口部が閉じた状態となることを特徴とする。
【００１４】
また、第４には、シート状のブランクにより形成された包装体で、包装体本体（５、５’）と、合成樹脂製のシート状部材（６０）とを有し、包装体本体は、本体部（７）と、本体部から連設された蓋部（３０）とを有し、本体部は、互いに平行な正面側と背面側の２つの辺部と、該２つの辺部と直角をなす互いに平行な右側面側と左側面側の２つの辺部とを有する底面部（１０）と、底面部の正面側の辺部から折れ線を介して連設された上面部で、底面部から連設された上面部本体（２２）と、上面部本体の背面側の辺部から折れ線を介して連設された一対の突状部（２４、２６）とを有し、該一対の突状部が左右方向に間隔を介して設けられ、一対の突状部における一方の突状部と上面部本体間の折れ線（Ｃ２４）と他方の突状部と上面部本体間の折れ線（Ｃ２６）が同一直線上に形成された上面部（２０）と、底面部と上面部本体の一方の右側面側の辺部から折れ線を介して連設され、底面部と上面部本体の他方に接着された第１糊代部（４０）と、底面部と上面部本体の一方の左側面側の辺部から折れ線を介して連設され、底面部と上面部本体の他方に接着された第２糊代部（５０）と、を有し、シート状部材が、上面部本体の内側の面と一対の突状部の内側の面に接着され、シート状部材により、上面部本体の背面側の端部側が開口したポケット状の収納部（「背面側に開口部（Ｋ６２）を有するポケット状の収納部」としてもよい）が設けられ、一対の突状部を上面部本体に対して折り曲げた際に、シート状部材も折り曲げた状態となり、蓋部は、底面部の背面側の辺部から折れ線を介して連設され、蓋部を閉じた状態では、蓋部が上面部に重なり、一対の突状部を上面部本体に対して外側に折り返した状態で蓋部を閉じた場合には、シート状部材の一対の突状部側の領域である先端側の領域（６０Ａ）がシート状部材における先端側の領域以外の領域（６０Ｂ）に対して該先端側の領域の内側が外側となるように反転した状態（「折り返した状態」としてもよい）で、該先端側の領域と一対の突状部が、蓋部と上面部本体の間に挟まれた状態となることを特徴とする。
【００１５】
第４の構成の包装体においては、本体部におけるシート状部材の上面部側とは反対側の空間に被収納物を収納するとともに、ポケット状の収納部に他の被収納物を収納して使用する。一対の突状部を上面部本体に対して外側に折り返した状態で蓋部を閉じた状態から蓋部を開状態（蓋部を開いた状態）にすると、折り返されていた一対の突状部が折り返された状態から復帰しようとして、上面部本体に対して立ち上がった状態となり、シート状部材の先端側の領域も立ち上がった状態となるので、ポケット状の収納部に収納されていた被収納物が脱落するのを防止することができる。また、一対の突状部を上面部本体に対して外側に折り返した状態で蓋部を閉じた場合には、シート状部材の先端側の領域の内側が外側となるように反転した状態となり、シート状部材も折り返した状態となっているので、被収納物がポケット状の収納部から飛び出すことがなく、蓋部を開状態にした際に、被収納物が包装体から脱落するおそれがない。
【００１６】
また、蓋部を開状態にすると、一対の突状部が上面部本体に対して立ち上がった状態となり、シート状部材の先端側の領域も立ち上がった状態となるので、ポケット状の収納部の存在に容易に気づくことができる。
【００１７】
なお、上記第４の構成において、一対の突状部を上面部本体に対して外側に折り返した状態で蓋部を閉じた状態から蓋部を開状態とした場合には、一対の突状部が上面部本体に対して立ち上がった状態となるものとしてもよい。
【００１８】
また、上記第４の構成において、本体部は、背面側に、本体部の収納空間から連通する開口部（Ｋ７）を有し、蓋部により開口部を閉じた状態では、蓋部が上面部に重なり、一対の突状部を上面部本体に対して外側に折り返した状態で蓋部により開口部を閉じた場合には、シート状部材の一対の突状部側の領域である先端側の領域（６０Ａ）がシート状部材における先端側の領域以外の領域（６０Ｂ）に対して該先端側の領域の内側が外側となるように反転した状態で、該先端側の領域と一対の突状部が、蓋部と上面部本体の間に挟まれた状態となるものとしてもよい。
【００１９】
また、第５には、シート状のブランクにより形成された包装体で、包装体本体（５、５’）と、合成樹脂製のシート状部材（６０）とを有し、包装体本体は、本体部（７）と、本体部から連設された蓋部（３０）とを有し、本体部は、互いに平行な正面側と背面側の２つの辺部と、該２つの辺部と直角をなす互いに平行な右側面側と左側面側の２つの辺部とを有する底面部（１０）と、底面部の正面側の辺部から折れ線を介して連設された第１側面部（７８）と、底面部の右側面側の辺部から折れ線を介して連設された第２側面部（７４）と、底面部の左側面側の辺部から折れ線を介して連設された第３側面部（７６）と、第２側面部の底面部とは反対側の辺部から折れ線を介して連設された第１上面フラップ（８０）と、第３側面部の底面部とは反対側の辺部から折れ線を介して連設された第２上面フラップ（８２）と、第１側面部の底面部とは反対側の辺部から折れ線を介して連設された上面部で、底面部から連設された上面部本体（２２）と、上面部本体の背面側の辺部から折れ線を介して連設された一対の突状部（２４、２６）とを有し、該一対の突状部が左右方向に間隔を介して設けられ、一対の突状部における一方の突状部と上面部本体間の折れ線（Ｃ２４）と他方の突状部と上面部本体間の折れ線（Ｃ２６）が同一直線上に形成された上面部（２０）と、を有し、シート状部材が、上面部本体の内側の面と一対の突状部の内側の面に接着され、シート状部材により、上面部本体の背面側の端部側が開口したポケット状の収納部（「背面側に開口部を有するポケット状の収納部」としてもよい）が設けられ、一対の突状部を上面部本体に対して折り曲げた際に、シート状部材も折り曲げた状態となり、蓋部は、底面部の背面側の辺部から折れ線を介して連設され、蓋部を閉じた状態では、蓋部が上面部に重なるとともに、上面部本体部が、第１上面フラップと第２上面フラップに重なり、
一対の突状部を上面部本体に対して外側に折り返した状態で蓋部を閉じた場合には、シート状部材の一対の突状部側の領域である先端側の領域（６０Ａ）がシート状部材における先端側の領域以外の領域（６０Ｂ）に対して該先端側の領域の内側が外側となるように反転した状態（「折り返した状態」としてもよい）で、該先端側の領域と一対の突状部が、蓋部と上面部本体の間に挟まれた状態となることを特徴とする。
【００２０】
第５の構成の包装体においては、本体部におけるシート状部材の上面部側とは反対側の空間に被収納物を収納するとともに、ポケット状の収納部に他の被収納物を収納して使用する。一対の突状部を上面部本体に対して外側に折り返した状態で蓋部を閉じた状態から蓋部を開状態（蓋部を開いた状態）にすると、折り返されていた一対の突状部が折り返された状態から復帰しようとして、上面部本体に対して立ち上がった状態となり、シート状部材の先端側の領域も立ち上がった状態となるので、ポケット状の収納部に収納されていた被収納物が脱落するのを防止することができる。また、一対の突状部を上面部本体に対して外側に折り返した状態で蓋部を閉じた場合には、シート状部材の先端側の領域の内側が外側となるように反転した状態となり、シート状部材も折り返した状態となっているので、被収納物がポケット状の収納部から飛び出すことがなく、蓋部を開状態にした際に、被収納物が包装体から脱落するおそれがない。
【００２１】
また、蓋部を開状態にすると、一対の突状部が上面部本体に対して立ち上がった状態となり、シート状部材の先端側の領域も立ち上がった状態となるので、ポケット状の収納部の存在に容易に気づくことができる。
【００２２】
なお、上記第５の構成において、一対の突状部を上面部本体に対して外側に折り返した状態で蓋部を閉じた状態から蓋部を開状態とした場合には、一対の突状部が上面部本体に対して立ち上がった状態となるものとしてもよい。
【００２３】
また、上記第５の構成において、本体部は、背面側に、本体部の収納空間から連通する開口部（Ｋ７）を有し、蓋部により開口部を閉じた状態では、蓋部が上面部に重なるとともに、上面部本体部が、第１上面フラップと第２上面フラップに重なり、一対の突状部を上面部本体に対して外側に折り返した状態で蓋部により開口部を閉じた場合には、シート状部材の一対の突状部側の領域である先端側の領域（６０Ａ）がシート状部材における先端側の領域以外の領域（６０Ｂ）に対して該先端側の領域の内側が外側となるように反転した状態で、該先端側の領域と一対の突状部が、蓋部と上面部本体の間に挟まれた状態となるものとしてもよい。
【００２４】
また、上記第５の構成において、「蓋部を閉じた状態では、蓋部が上面部に重なるとともに、上面部本体部が、第１上面フラップと第２上面フラップに重なり、」を「蓋部を閉じた状態では、第１側面部と第２側面部と第３側面部が底面部に対して起立するよう折れ曲がり、上面部が第１側面部に対して折れ曲がり、蓋部が上面部に重なるとともに、上面部本体部が、第１上面フラップと第２上面フラップに重なり、」としてもよい。
【００２５】
なお、第５−１の構成として、上記第５の構成において、第２側面部及び第１上面フラップから底面部の右側面側の辺部に対して４５度の角度をなす第１折れ線（Ｃ９０）を介して連設された第１折返し片部で、第１折れ線と平行な第２折れ線（Ｃ９１）が設けられた第１折返し片部（９０）と、第１折返し片部の第２側面部及び第１上面フラップ側とは反対側の辺部から折れ線を介して連設され、上面部本体及び第１側面部に接着された第１糊代部（９４）と、第３側面部及び第２上面フラップから底面部の左側面側の辺部に対して４５度の角度をなす第３折れ線（Ｃ９２）を介して連設された第２折返し片部で、第３折れ線と平行な第４折れ線（Ｃ９３）が設けられた第２折返し片部（９２）と、第２折返し片部の第３側面部及び第２上面フラップ側とは反対側の辺部から折れ線を介して連設され、上面部本体及び第１側面部に接着された第２糊代部（９４）とを有し、
包装体を折り畳んだ際には、第１折返し片部は、第１折れ線が外側から見て山折りの状態で折曲しているとともに、第２折返し片部は、第３折れ線が外側から見て山折りの状態で折曲しており、第２側面部と第３側面部を底面部に対して立ち上げるとともに、第１上面フラップを第２側面部に対して内側に折曲し、第２上面フラップを第３側面部に対して内側に折曲した状態では、第１折返し片部は、第２折れ線が外側から見て谷折りの状態で折曲しているとともに、第２折返し辺部は、第４折れ線が外側から見て谷折りの状態で折曲していることを特徴とするものとしてもよい。
【００２６】
また、第５又は第５−１の構成において、上面部本体の右側面側の辺部から第１差込み片部（２８−１）が連設され、第２側面部と第１上面部フラップの境界位置に第１差込み片部を差し込むための第１被差込み部（７４Ｋ）が設けられ、
上面部本体の左側面側の辺部から第２差込み片部（２８−２）が連設され、第３側面部と第２上面部フラップの境界位置に第２差込み片部を差し込むための第２被差込み部（７６Ｋ）が設けられていることを特徴とするものとしてもよい。
【００２７】
また、第６には、上記第４又は第５の構成において、シート状部材が、略方形状を呈し、シート状部材の一対の突状部側の辺部である先端側辺部（６０ａ）が一対の突状部と上面部本体間の折れ線（Ｃ２４、Ｃ２６）と略平行であり、該先端側辺部以外の３辺に沿った領域が上面部に接着され、該３辺に沿った領域のうち右側面側の領域（６０−１）は、上面部本体と一対の突状部における右側面側の突状部（２４）に接着され、該３辺に沿った領域のうち左側面側の領域（６０−３）は、上面部本体と一対の突状部における左側面側の突状部（２６）に接着されていることを特徴とする。
【００２８】
また、第７には、上記第４から第６までのいずれかの構成において、蓋部は、底面部から連設された基端部（３２）と、基端部から切断予定線（Ｋ３２、Ｋ３４）を介して連設された先端部（３４）とを有し、先端部を上面部本体の外側の面に接着させることにより蓋部が閉じた状態となることを特徴とする。
【００２９】
また、第８には、上記第４から第７までのいずれかの構成において、上面部本体には、一方の突状部との間の折れ線（Ｃ２４）と他方の突状部との間の折れ線（Ｃ２６）の間の辺部により形成された切欠部（Ｋ２２）が設けられ、該切欠部の領域の内側にシート状部材が設けられ、蓋部が本体部に対して開いている状態では、シート状部材が該切欠部から外部に露出していることを特徴とする。
【００３０】
よって、蓋部が本体部に対して開いている状態では、シート状部材が該切欠部から外部に露出しているので、ポケット状の収納部に気づきやすくできる。
【００３１】
また、第９の構成として、以下の構成としてもよい。すなわち、上記第４から第８までのいずれかの構成において、「底面部には、正面側の辺部と略平行に形成された直線状の折曲げ用の底面部第１罫線（Ｗ１０ａ、Ｗ１１ａ）と、背面側の辺部と略平行に形成され、底面部第１罫線と平行な直線状の折曲げ用の底面部第２罫線（Ｗ１０ｃ、Ｗ１１ｃ）と、右側面側の辺部と略平行に形成され、底面部第１罫線と直角な直線状の折曲げ用の底面部第３罫線（Ｗ１０ｂ、Ｗ１１ｂ）と、左側面側の辺部と略平行に形成され、底面部第１罫線と直角な直線状の折曲げ用の底面部第４罫線（Ｗ１０ｄ、Ｗ１１ｄ）とが設けられ、上面部には、底面部との間の折れ線（Ｃ２０）と略平行に形成された直線状の折曲げ用の上面部第１罫線（Ｗ２０ａ、Ｗ２１ａ）と、右側面側の辺部と略平行に形成され、上面部第１罫線と直角な直線状の折曲げ用の上面部第２罫線（Ｗ２０ｂ、Ｗ２１ｂ）と、左側面側の辺部と略平行に形成され、上面部第１罫線と直角な直線状の折曲げ用の上面部第３罫線（Ｗ２０ｃ、Ｗ２１ｃ）とが設けられ、蓋部の基端部には、底面部との間の折れ線（Ｃ３０）と略平行に形成された直線状の折曲げ用の蓋部罫線（Ｗ３０、Ｗ３１）が設けられ、第１糊代部には、底面部との間の折れ線（Ｃ４０）と略平行に形成された直線状の折曲げ用の第１糊代部罫線（Ｗ４０、Ｗ４１）が設けられ、第２糊代部には、底面部との間の折れ線（Ｃ５０）と略平行に形成された直線状の折曲げ用の第２糊代部罫線（Ｗ５０、Ｗ５１）が設けられていることを特徴とする。」としてもよい。
【発明の効果】
【００３２】
本発明に基づく包装体によれば、蓋部を開状態にすると、折り返されていた一対の突状部が折り返された状態から復帰しようとして、特定面部本体（上面部本体）に対して立ち上がった状態となり、シート状部材の先端側の領域も立ち上がった状態となるので、ポケット状の収納部に収納されていた被収納物が脱落するのを防止することができる。また、一対の突状部を特定面部本体（上面部本体）に対して外側に折り返した状態で蓋部を閉じた場合には、シート状部材も折り返した状態となっているので、被収納物がポケット状の収納部から飛び出すことがなく、蓋部を開状態にした際に、被収納物が包装体から脱落するおそれがない。
【００３３】
また、蓋部を開状態にすると、一対の突状部が特定面部本体（上面部本体）に対して立ち上がった状態となり、シート状部材の先端側の領域も立ち上がった状態となるので、ポケット状の収納部の存在に容易に気づくことができる。
【図面の簡単な説明】
【００３４】
【図１】包装体の前方斜視図である。
【図２】包装体の後方斜視図である。
【図３】包装体の平面図である。
【図４】包装体の展開図である。
【図５】図４の要部抽出図である。
【図６】図４の要部抽出図である。
【図７】図４の要部抽出図である。
【図８】包装体の使用状態を示す前方斜視図である。
【図９】包装体の使用状態を示す前方斜視図である。
【図１０】包装体の使用状態を示す前方斜視図である。
【図１１】蓋部を閉じた状態を示す平面図である。
【図１２】図１１のＡ−Ａ端面図である。
【図１３】図１１のＢ−Ｂ端面図である。
【図１４】蓋部を開けた状態を示す前方斜視図である。
【図１５】蓋部を開けるとともに突状部を上面部本体に対して面一にした状態を示す平面図である。
【図１６】他の実施例の包装体の展開図である。
【図１７】他の実施例の包装体の組立て途中の状態を示す斜視図である。
【発明を実施するための形態】
【００３５】
本発明においては、フィルムを貼ることによりポケットが設けられた包装体において、ポケットから被収納物が脱落するおそれがなく、また、ユーザーがポケットの存在を容易に知ることができる包装体を提供するという目的を以下のようにして実現した。
【実施例１】
【００３６】
本発明の実施例に基づく包装体１は、封筒の形状を有する包装体であり、図１〜図７に示すように構成され、包装体本体５と、包装体本体５に接着されたシート状部材６０とを有し、このシート状部材６０によりポケット１００が構成されている。
【００３７】
ここで、包装体本体５は、底面部１０と、底面部１０の正面側（Ｙ１側）の辺部から折れ線Ｃ２０を介して連設された上面部２０と、底面部１０の背面側（Ｙ２側）の辺部から折れ線Ｃ３０を介して連設された蓋部３０と、底面部１０の右側面側（Ｘ２側）の辺部から折れ線Ｃ４０を介して連設された糊代部４０と、底面部１０の左側面側（Ｘ１側）の辺部から折れ線Ｃ５０を介して連設された糊代部５０とを有している。底面部１０と上面部２０と糊代部４０と糊代部５０とで本体部７が構成される。包装体本体５を構成する各部は平板状を呈し、本体部７は、底面部１０と上面部２０の２つの面部を有している。
【００３８】
包装体本体５は、全体に１枚のシート状のブランク（具体的には、段ボール製（例えば、薄型段ボール製）のブランクであり、厚紙製のブランク等の他の紙製のブランクでもよい）により形成されている。つまり、包装体本体５は、段ボール材（特に、両面段ボール材）等の紙製の包装容器である。実施例２の包装体本体５’においても、同様である。
【００３９】
底面部１０は、略方形状（具体的には、略長方形状）を呈し、厳密には、４つの角部に円弧状の切欠部を設けた長方形状を呈している。すなわち、底面部１０は、図６に示すように、折れ線Ｃ２０に沿った直線状の辺部１０ａと、辺部１０ａの右側面側の端部から連設され、内側に膨出した円弧状を呈する辺部１０ｂと、辺部１０ｂの端部から連設され、折れ線Ｃ４０に沿った直線状の辺部１０ｃと、辺部１０ｃの端部から連設され、内側に膨出した円弧状を呈する辺部１０ｄと、辺部１０ｄの端部から連設され、折れ線Ｃ３０に沿った直線状の辺部１０ｅと、辺部１０ｅの端部から連設され、内側に膨出した円弧状を呈する辺部１０ｆと、辺部１０ｆの端部から連設され、折れ線Ｃ５０に沿った直線状の辺部１０ｇと、辺部１０ｇの端部から辺部１０ａの左側面側の端部まで形成され、内側に膨出した円弧状を呈する辺部１０ｈにより囲まれた形状を呈している。
【００４０】
なお、折れ線Ｃ２０と折れ線Ｃ３０は互いに平行であり、折れ線Ｃ４０と折れ線Ｃ５０は互いに平行であり、折れ線Ｃ４０と折れ線Ｃ２０、Ｃ３０は互いに直角であり、折れ線Ｃ５０と折れ線Ｃ２０、Ｃ３０は互いに直角となっている。つまり、辺部１０ａと辺部１０ｅは互いに平行な辺部で、辺部１０ａが正面側の辺部で、辺部１０ｅが背面側の辺部であり、辺部１０ｃと辺部１０ｇは、辺部１０ａ、１０ｅと直角をなす互いに平行な辺部で、辺部１０ｃは右側面側の辺部で、辺部１０ｇは左側面側の辺部となる。
【００４１】
また、底面部１０には、矩形状の罫線Ｗ１０、Ｗ１１が形成されている。罫線Ｗ１０は、折れ線Ｃ２０、Ｃ３０、Ｃ４０、Ｃ５０の内側に沿って長方形状に形成され、罫線Ｗ１１は、罫線Ｗ１０の内側に長方形状に形成されている。
【００４２】
すなわち、罫線Ｗ１０は、罫線Ｗ１０ａと、罫線Ｗ１０ａの端部から連設された罫線Ｗ１０ｂと、罫線Ｗ１０ｂの端部から連設された罫線Ｗ１０ｃと、罫線Ｗ１０ｃの端部から罫線Ｗ１０ａまで形成された罫線Ｗ１０ｄとを有し、罫線Ｗ１０ａ、Ｗ１０ｃは、折れ線Ｃ２０、Ｃ３０と平行（略平行としてもよい）に形成され、罫線Ｗ１０ｂ、Ｗ１０ｄは、折れ線Ｃ４０、Ｃ５０と平行（略平行としてもよい）に形成され、罫線Ｗ１０ａ〜Ｗ１０ｄは直線状に形成されている。罫線Ｗ１０ａは、折れ線Ｃ２０に沿って形成され、罫線Ｗ１０ｂは、折れ線Ｃ４０に沿って形成され、罫線Ｗ１０ｃは、折れ線Ｃ３０に沿って形成され、罫線Ｗ１０ｄは、折れ線Ｃ５０に沿って形成されている。なお、罫線Ｗ１０ａと折れ線Ｃ２０間の間隔Ｌ１０ａと、罫線Ｗ１０ｂと折れ線Ｃ４０間の間隔Ｌ１０ｂと、罫線Ｗ１０ｃと折れ線Ｃ３０間の間隔Ｌ１０ｃと、罫線Ｗ１０ｄと折れ線Ｃ５０間の間隔Ｌ１０ｄは、同一（略同一としてもよい）に形成されている。
【００４３】
また、罫線Ｗ１１は、罫線Ｗ１１ａと、罫線Ｗ１１ａの端部から連設された罫線Ｗ１１ｂと、罫線Ｗ１１ｂの端部から連設された罫線Ｗ１１ｃと、罫線Ｗ１１ｃの端部から罫線Ｗ１１ａまで形成された罫線Ｗ１１ｄとを有し、罫線Ｗ１１ａ、Ｗ１１ｃは、折れ線Ｃ２０、Ｃ３０と平行（略平行としてもよい）に形成され、罫線Ｗ１１ｂ、Ｗ１１ｄは、折れ線Ｃ４０、Ｃ５０と平行（略平行としてもよい）に形成され、罫線Ｗ１１ａ〜Ｗ１１ｄは直線状に形成されている。罫線Ｗ１１ａは、罫線Ｗ１０ａに沿って形成され、罫線Ｗ１１ｂは、罫線Ｗ１０ｂに沿って形成され、罫線Ｗ１１ｃは、罫線Ｗ１０ｃに沿って形成され、罫線Ｗ１１ｄは、罫線Ｗ１０ｄに沿って形成されている。なお、罫線Ｗ１１ａと罫線Ｗ１０ａ間の間隔Ｌ１１ａと、罫線Ｗ１１ｂと罫線Ｗ１０ｂ間の間隔Ｌ１１ｂと、罫線Ｗ１１ｃと罫線Ｗ１０ｃ間の間隔Ｌ１１ｃと、罫線Ｗ１１ｄと罫線Ｗ１０ｄ間の間隔Ｌ１１ｄは、同一（略同一としてもよい）に形成されており、また、間隔Ｌ１０ａは間隔Ｌ１１ａと同一（略同一としてもよい）であり、間隔Ｌ１０ｂは間隔Ｌ１１ｂと同一（略同一としてもよい）であり、間隔Ｌ１０ｃは間隔Ｌ１１ｃと同一（略同一としてもよい）であり、間隔Ｌ１０ｄは間隔Ｌ１１ｄと同一（略同一としてもよい）となっている。
【００４４】
また、底面部１０には、四方の角部の領域に直線状の罫線Ｗ１２〜Ｗ１５が形成されている。すなわち、罫線Ｗ１２は、罫線Ｗ１１ａと罫線Ｗ１１ｂの接点と辺部１０ｂ間に形成され、罫線Ｗ１０ａと罫線Ｗ１０ｂの接点は、罫線Ｗ１２上に位置している。また、罫線Ｗ１３は、罫線Ｗ１１ｂと罫線Ｗ１１ｃの接点と辺部１０ｄ間に形成され、罫線Ｗ１０ｂと罫線Ｗ１０ｃの接点は、罫線Ｗ１３上に位置している。また、罫線Ｗ１４は、罫線Ｗ１１ｃと罫線Ｗ１１ｄの接点と辺部１０ｆ間に形成され、罫線Ｗ１０ｃと罫線Ｗ１０ｄの接点は、罫線Ｗ１４上に位置している。また、罫線Ｗ１５は、罫線Ｗ１１ｄと罫線Ｗ１１ａの接点と辺部１０ｈ間に形成され、罫線Ｗ１０ｄと罫線Ｗ１０ａの接点は、罫線Ｗ１５上に位置している。
【００４５】
罫線Ｗ１０〜Ｗ１５は、包装体本体５を構成するブランクの内側の面側から押圧した押罫により形成されている。これらの罫線Ｗ１０〜Ｗ１５は、厚みのある被収納物を収納することにより底面部１０が湾曲しようとする際に、底面部１０が湾曲しやすいように形成されている。つまり、罫線Ｗ１０〜Ｗ１５は、折曲げ用の罫線である。罫線Ｗ１０ａ、Ｗ１１ａは、底面部第１罫線に当たり、罫線Ｗ１０ｃ、Ｗ１１ｃは、底面部第２罫線に当たり、罫線Ｗ１０ｂ、Ｗ１１ｂは、底面部第３罫線に当たり、罫線Ｗ１０ｄ、Ｗ１１ｄは、底面部第４罫線に当たる。
【００４６】
また、上面部（特定面部）２０は、底面部１０から折れ線を介して連設された上面部本体２２と、上面部本体２２の折れ線Ｃ２０側とは反対側の辺部から折れ線Ｃ２４を介して連設された突状部２４と、上面部本体２２の折れ線Ｃ２０側とは反対側の辺部から折れ線Ｃ２６を介して連設された突状部２６とを有している。上面部２０は、本体部７の複数の面部（底面部１０と上面部２０）において、蓋部３０により開口部Ｋ７（後述）を閉じる際に蓋部３０が重なる面部である。一対の突状部２４、２６において、突状部２４は右側面側に位置し、突状部２６は左側面側に位置している。つまり、突状部２４は、一対の突状部における右側面側の突状部であり、突状部２６は、一対の突状部における左側面側の突状部である。
【００４７】
上面部本体（特定面部本体）２２は、略方形状に円弧状の切欠部を設けた形状を呈している。すなわち、上面部本体２２は、図７に示すように、折れ線Ｃ２０に沿った辺部２２ａと、辺部２２ａの右側面側の端部から連設され、内側に膨出した円弧状を呈する辺部２２ｂと、辺部２２ｂの端部から連設された直線状の辺部２２ｃと、辺部２２ｃの端部から連設された直線状の辺部２２ｄと、辺部２２ｄの端部から連設された円弧状の辺部２２ｅと、辺部２２ｅの端部から連設された直線状の辺部２２ｆと、辺部２２ｆの端部から連設された直線状の辺部２２ｇと、辺部２２ｇの端部から辺部２２ａまで連設され、内側に膨出した円弧状を呈する辺部２２ｈとにより囲まれた形状を呈している。上面部本体２２には、辺部２２ｅにより切欠部Ｋ２２が設けられている。すなわち、突状部２４との間の折れ線Ｃ２４と突状部２６との間の折れ線Ｃ２６間の辺部２２ｅにより切欠部Ｋ２２が形成されている。
【００４８】
なお、折れ線Ｃ２０と辺部２２ｄ、２２ｆは互いに平行であり、辺部２２ｃと辺部２２ｇは互いに平行であり、折れ線Ｃ２０と辺部２２ｃ、２２ｇは互いに直角であり、辺部２２ｄと辺部２２ｃは互いに直角であり、辺部２２ｆと辺部２２ｇは互いに直角である。また、辺部２２ｄと辺部２２ｆは同一直線状に形成されている。
【００４９】
また、上面部本体２２の前後方向の長さ（折れ線Ｃ２０と折れ線Ｃ２４間の長さ）Ｌ２２（図４）は、底面部１０の前後方向の長さ（折れ線Ｃ２０と折れ線Ｃ３０間の長さ）Ｌ１０（図４）よりも短く形成されている。なお、上面部本体２２の前後方向の長さＬ２２は、底面部１０の前後方向の長さＬ１０以下の長さであればよい。
【００５０】
また、上面部本体２２には、略コ字状の罫線Ｗ２０、Ｗ２１が形成されている。罫線Ｗ２０は、折れ線Ｃ２０と辺部２２ｃ、２２ｇに沿って略コ字状に形成され、罫線Ｗ２１は、罫線Ｗ２０の内側に略コ字状に形成されている。
【００５１】
すなわち、罫線Ｗ２０は、罫線Ｗ２０ａと、罫線Ｗ２０ａの一方の端部から連設された罫線Ｗ２０ｂと、罫線Ｗ２０ａの他方の端部から連設された罫線Ｗ２０ｃとを有し、罫線Ｗ２０ａは、折れ線Ｃ２０と平行（略平行としてもよい）に折れ線Ｃ２０に沿って形成され、罫線Ｗ２０ｂは、辺部２２ｃと平行（略平行としてもよい）に辺部２２ｃに沿って形成され、罫線Ｗ２０ｃは、辺部２２ｇと平行（略平行としてもよい）に辺部２２ｇに沿って形成されている。罫線Ｗ２０ａ〜Ｗ２０ｃは直線状に形成されている。
【００５２】
また、罫線Ｗ２１は、罫線Ｗ２１ａと、罫線Ｗ２１ａの一方の端部から連設された罫線Ｗ２１ｂと、罫線Ｗ２１ａの他方の端部から連設された罫線Ｗ２１ｃとを有し、罫線Ｗ２１ａは、罫線Ｗ２０ａと平行（略平行としてもよい）に罫線Ｗ２０ａに沿って形成され、罫線Ｗ２１ｂは、罫線Ｗ２０ｂと平行（略平行としてもよい）に罫線Ｗ２０ｂに沿って形成され、罫線Ｗ２１ｃは、罫線Ｗ２０ｃと平行（略平行としてもよい）に罫線Ｗ２０ｃに沿って形成されている。罫線Ｗ２１ａ〜Ｗ２１ｃは直線状に形成されている。
【００５３】
なお、折れ線Ｃ２０と罫線Ｗ２０ａ間の間隔Ｌ２０ａと、罫線Ｗ２０ａと罫線Ｗ２１ａ間の間隔Ｌ２１ａは、同一（略同一としてもよい）に形成され、罫線Ｗ２０ｂと罫線Ｗ２１ｂ間の間隔Ｌ２１ｂと、罫線Ｗ２０ｃと罫線Ｗ２１ｃ間の間隔Ｌ２１ｃは、間隔Ｌ２１ａと同一（略同一としてもよい）に形成されている。
【００５４】
また、上面部本体２２には、底面部１０と連絡された側の左右両側の角部の領域に直線状の罫線Ｗ２２、Ｗ２３が形成されている。すなわち、罫線Ｗ２２は、罫線Ｗ２１ａと罫線Ｗ２１ｂの接点と辺部２２ｂ間に形成され、罫線Ｗ２０ａと罫線Ｗ２０ｂの接点は、罫線Ｗ２２上に位置している。また、罫線Ｗ２３は、罫線Ｗ２１ｂと罫線Ｗ２１ｃの接点と辺部２０ｈ間に形成され、罫線Ｗ２０ｂと罫線Ｗ２０ｃの接点は、罫線Ｗ２３上に位置している。
【００５５】
罫線Ｗ２０〜Ｗ２３は、包装体本体５を構成するブランクの内側の面側から押圧した押罫により形成されている。これらの罫線Ｗ２０〜Ｗ２３は、厚みのある被収納物を収納することにより上面部本体２２が湾曲しようとする際に、上面部本体２２が湾曲しやすいように形成されている。つまり、罫線Ｗ２０〜Ｗ２３は、折曲げ用の罫線である。罫線Ｗ２０ａ、Ｗ２１ａは、上面部第１罫線に当たり、罫線Ｗ２０ｂ、Ｗ２１ｂは、上面部第２罫線に当たり、罫線Ｗ２０ｃ、Ｗ２１ｃは、上面部第３罫線に当たる。
【００５６】
上面部本体２２は、本体部７の上面部２０以外の面部である底面部１０とともに本体部７の収納空間を構成している。つまり、上面部本体２２と底面部１０により本体部７の収納空間が構成される。本体部７の収納空間は、開口部Ｋ７から連通している。
【００５７】
また、上面部本体２２には切欠部Ｋ２２が設けられているので、蓋部３０本体部７に対して開いている状態（図１〜図３の状態や図１４、図１５の状態）では、シート状部材６０が切欠部Ｋ２２から外部に露出しているので、ポケット１００の存在に気づきやすくなる。
【００５８】
また、突状部２４は、上面部本体２２の辺部２２ｄから折れ線Ｃ２４を介して連設され、略台形形状を呈している。すなわち、突状部２４は、辺部２２ｄに対して直角に形成された直線状の辺部２４ａと、辺部２４ａの端部から連設された略円弧状の辺部２４ｂと、辺部２４ｂの端部から連設された直線状の辺部２４ｃと、辺部２４ｃの端部から連設された略円弧状の辺部２４ｄと、辺部２４ｄの端部から連設された円弧状の辺部２４ｅとを有している。辺部２４ａは、辺部２２ｄに対して直角をなし、辺部２４ｃは、折れ線Ｃ２４と平行をなし、辺部２４ｅは、辺部２２ｅと同じ曲率となっている。辺部２４ｂは、辺部２４ａと辺部２４ｃ間のアールを構成し、辺部２４ｄは、辺部２４ｃと辺部２４ｅ間のアールを構成している。
【００５９】
また、突状部２６は、上面部本体２２の辺部２２ｆから折れ線Ｃ２６を介して連設され、略台形形状を呈している。すなわち、突状部２６は、辺部２２ｆに対して直角に形成された直線状の辺部２６ａと、辺部２６ａの端部から連設された略円弧状の辺部２６ｂと、辺部２６ｂの端部から連設された直線状の辺部２６ｃと、辺部２６ｃの端部から連設された略円弧状の辺部２６ｄと、辺部２６ｄの端部から連設された円弧状の辺部２６ｅとを有している。辺部２６ａは、辺部２２ｆに対して直角をなし、辺部２６ｃは、折れ線Ｃ２６と平行をなし、辺部２６ｅは、辺部２２ｅと同じ曲率となっている。辺部２６ｂは、辺部２６ａと辺部２６ｃ間のアールを構成し、辺部２６ｄは、辺部２６ｃと辺部２６ｅ間のアールを構成している。この突状部２６は、前後方向の中心線を介して突状部２４と左右線対称に形成されている。なお、折れ線Ｃ２４と折れ線Ｃ２６は、同一直線上に形成されている。また、突状部２４と突状部２６は、左右方向に間隔（長さＬ２７−２）（図４）を介して設けられている。なお、折れ線Ｃ２４、Ｃ２６は、折れ線Ｃ２０と平行に形成されている。
【００６０】
上面部２０を展開した状態では、辺部２２ｅと辺部２４ｅと辺部２６ｅとで１つの円弧状の辺部を形成している。
【００６１】
図３に示すように、蓋部３０を開けた状態では、突状部２４、２６は、折れ線Ｃ３０よりも背面側に突出しているが、蓋部３０を閉じる際には、突状部２４、２６を上面部本体２２に対して折り返した状態とするので、特に支障はない。なお、蓋部３０を開けた状態で、突状部２４、２６が折れ線Ｃ３０よりも背面側に突出しない構成としてもよい。
【００６２】
なお、突状部２４の前後方向の長さ（折れ線Ｃ２４と辺部２４ｃ間の長さ）Ｌ２４や突状部２６の前後方向の長さ（折れ線Ｃ２６と辺部２６ｃ間の長さ）Ｌ２６は、蓋部３０を閉じた際に、突状部２４、２６が蓋部３０の先端部３４と重ならない程度の長さに形成されている。すなわち、蓋部３０を閉じた際に突状部２４、２６が先端部３４と重なる場合には、蓋部３０を閉じる際に、先端部３４は上面部本体２２に接着されるため、突状部２４、２６が先端部３４に接着してしまうおそれがあり、突状部２４、２６が先端部３４に接着してしまうと、切目線Ｋ３２、Ｋ３４を破断して蓋部３０の基端部３２を開状態にした場合でも、突状部２４、２６が上面部本体２２に対して折り返した状態で固定されてしまうという問題がある。また、先端部３４において上面部本体２２と接着する領域が先端部３４の先端側に設けられる等することにより突状部２４、２６が先端部３４に接着しなくても、突状部２４、２６が先端部３４と重なる場合には、突状部２４、２６を上面部本体２２に対して面一の状態に戻すのに、突状部２４、２６が先端部３４に引っ掛かった状態となって手間が掛かってしまうので、突状部２４、２６が先端部３４と重ならないようにするのが好ましい。
【００６３】
また、底面部１０における辺部１０ｂ、１０ｈにより形成された切欠部と、上面部２０における辺部２２ｂ、２２ｈにより形成された切欠部は、厚みのある被収納物を収納することにより、底面部１０と上面部２０間の間隔が大きくなり本体部７が膨らんだ状態になった場合に、本体部７の正面側における左右両側の角部が本体部７が膨らむのに支障がないように形成されている。
【００６４】
本体部７においては、正面側と右側面側と左側面側の三方が閉じた状態であり、背面側に、開口部Ｋ７が設けられている。すなわち、開口部Ｋ７は、底面部１０の背面側の端部（具体的には、辺部１０ｅにより構成される端部）と、上面部２０と糊代部４０、５０からなる上面構成部の背面側の端部（具体的には、辺部４０ｋ、辺部２２ｄ、辺部２４ａ〜２４ｅ、辺部２２ｅ、辺部２６ａ〜２６ｅ、辺部２２ｆ、辺部５０ｋにより構成される端部）により、これらに囲まれて構成されている。
【００６５】
また、蓋部３０は、底面部１０から折れ線Ｃ３０を介して連設された基端部３２と、基端部３２から開口部Ｋ３０及び切目線Ｋ３２、Ｋ３４を介して連設された先端部３４とを有している。底面部１０の背面側の端部は開口部Ｋ７の一部を構成するので、蓋部３０は、本体部７の開口部Ｋ７から連設されているといえる。
【００６６】
蓋部３０は、図５に示すように、底面部１０の辺部１０ｄから連設され、折れ線Ｃ３０に対して直角で直線状の辺部３０ａと、辺部３０ａの端部から連設され、折れ線Ｃ３０の方向に対して傾斜した直線状の辺部３０ｂと、辺部３０ｂの端部から連設され、折れ線Ｃ３０の方向に対して直角で直線状の辺部３０ｃと、辺部３０ｃの端部から連設され、折れ線Ｃ３０の方向に対して傾斜した直線状の辺部３０ｄと、辺部３０ｄの端部から連設された略円弧状の辺部３０ｅと、辺部３０ｅの端部から連設され、折れ線Ｃ３０の方向に対して直角で直線状の辺部３０ｆと、辺部３０ｆの端部から連設された略円弧状の辺部３０ｇと、辺部３０ｇの端部から連設され、折れ線Ｃ３０の方向に対して傾斜した直線状の辺部３０ｈと、辺部３０ｈの端部から連設され、折れ線Ｃ３０の方向に形成された直線状の辺部３０ｉと、辺部３０ｉの端部から連設され、折れ線Ｃ３０の方向に対して傾斜した直線状の辺部３０ｊと、辺部３０ｊの端部から連設された略円弧状の辺部３０ｋと、辺部３０ｋの端部から連設され、折れ線Ｃ３０の方向に対して直角で直線状の辺部３０ｌと、辺部３０ｌの端部から連設された略円弧状の辺部３０ｍと、辺部３０ｍの端部から連設され、折れ線Ｃ３０の方向に対して傾斜した直線状の辺部３０ｎと、辺部３０ｎの端部から連設され、折れ線Ｃ３０の方向に対して直角で直線状の辺部３０ｏと、辺部３０ｏの端部から連設され、折れ線Ｃ３０の方向に対して傾斜した直線状の辺部３０ｐと、辺部３０ｐの端部から辺部１０ｆまで形成され、折れ線Ｃ３０に対して直角で直線状の辺部３０ｑと、辺部３０ａと辺部３０ｑ間に形成され、折れ線Ｃ３０に沿った辺部３０ｒとにより囲まれた形状を呈している。
【００６７】
辺部３０ｂと辺部３０ｐは、折れ線Ｃ３０から離れるほど辺部３０ｂと辺部３０ｐ間の間隔が短くなるように折れ線Ｃ３０の方向に対して傾斜し、辺部３０ｄと辺部３０ｎは、折れ線Ｃ３０から離れるほど辺部３０ｄと辺部３０ｎ間の間隔が長くなるように折れ線Ｃ３０の方向に対して傾斜し、辺部３０ｈと辺部３０ｊは、折れ線Ｃ３０から離れるほど辺部３０ｈと辺部３０ｊ間の間隔が短くなるように折れ線Ｃ３０の方向に対して傾斜している。蓋部３０は、前後方向の中心線を介して左右線対称に形成されている。
【００６８】
また、開口部Ｋ３０は、蓋部３０の左右方向の中心における先端側の領域に設けられ、略半円状の辺部Ｋ３０ａと、左右方向に形成された直線状の辺部Ｋ３０ｂにより囲まれた形状を呈している。
【００６９】
また、切目線Ｋ３２は、開口部Ｋ３０から右側面側に連設され、左右方向に略直線状に形成された切込みＫ３２ａと、切込みＫ３２ａから連設され、折れ線Ｃ３０の方向に対して傾斜して形成された切断予定線Ｋ３２ｂとを有している。切込みＫ３２ａは、直線における右側面側の端部が正面側に湾曲した形状を呈している。また、切断予定線Ｋ３２ｂは、切込みＫ３２ａの右側面側の端部と辺部３０ｂと辺部３０ｃの接点間に形成され、略への字状の切込みが直線状に間隔を介して設けられている。
【００７０】
また、切目線Ｋ３４は、開口部Ｋ３０から左側面側に連設され、左右方向に略直線状に形成された切込みＫ３４ａと、切込みＫ３４ａから連設され、折れ線Ｃ３０の方向に対して傾斜して形成された切断予定線Ｋ３４ｂとを有している。切込みＫ３４ａは、直線における左側面側の端部が正面側に湾曲した形状を呈している。また、切断予定線Ｋ３４ｂは、切込みＫ３４ａの左側面側の端部と辺部３０ｏと辺部３０ｐの接点間に形成され、略への字状の切込みが直線状に間隔を介して設けられている。
【００７１】
切断予定線Ｋ３２ｂと切断予定線Ｋ３４ｂは、折れ線Ｃ３０から離れるほど切断予定線Ｋ３２ｂと切断予定線Ｋ３４ｂ間の距離が短くなるように折れ線Ｃ３０の方向に対して傾斜している。
【００７２】
基端部３２には、折れ線Ｃ３０と平行（略平行としてもよい）な罫線Ｗ３０、Ｗ３１が形成され、罫線Ｗ３０は、折れ線Ｃ３０に沿って形成され、また、罫線Ｗ３１は、罫線Ｗ３０の折れ線Ｃ３０とは反対側に形成されている。折れ線Ｃ３０と罫線Ｗ３０間の間隔Ｌ３０と罫線Ｗ３０と罫線Ｗ３１間の間隔Ｌ３１は、同一（略同一としてもよい）に形成され、間隔Ｌ３０は、間隔Ｌ１０ｃと同一（略同一としてもよい）に形成され、間隔Ｌ３１は、間隔Ｌ１１ｃと同一（略同一としてもよい）に形成されている。
【００７３】
罫線（蓋部罫線）Ｗ３０、Ｗ３１は、包装体本体５を構成するブランクの内側の面側から押圧した押罫により形成されている。これらの罫線Ｗ３０、Ｗ３１は、厚みのある被収納物を収納することにより蓋部３０が湾曲しようとする際に、蓋部３０が湾曲しやすいように形成されている。つまり、罫線Ｗ３０、Ｗ３１は、折曲げ用の罫線である。
【００７４】
先端部３４は、左右両側に突状部３４−１、３４−２を有している。すなわち、突状部３４−１は、辺部３０ｄ〜辺部３０ｈにより形成され、突状部３４−２は、辺部３０ｊ〜３０ｎにより形成されている。先端部３４を上面部本体２２に接着した状態では、原則として、突状部３４−１の少なくとも一部の領域は、糊代部４０の切欠部Ｋ４０内に位置し、突状部３４−２の少なくとも一部の領域は、糊代部５０の切欠部Ｋ５０内に位置する。なお、蓋部３０を上面部２０に接着して蓋部３０を閉状態にする際に、突状部３４−１の切欠部Ｋ４０における相対的な位置と突状部３４−２の切欠部Ｋ５０における相対的な位置を左右対称にすることにより、蓋部３０の上面部２０に対する傾きを防止することができる。つまり、切欠部Ｋ４０、Ｋ５０と突状部３４−１、３４−２は、蓋部３０の位置合わせに使用できる。
【００７５】
また、糊代部（第１糊代部）４０は、略台形形状を呈し、糊代部４０の内側の面が上面部本体２２の外側の面の右側面側の端部領域に接着されている。すなわち、糊代部４０は、図４に示すように、折れ線Ｃ４０に沿った辺部４０ａと、辺部４０ａの正面側の端部から連設され、内側に膨出した円弧状を呈する辺部４０ｂと、辺部４０ｂの端部から連設された直線状の辺部４０ｃと、辺部４０ｃの端部から連設された直線状の辺部４０ｄと、辺部４０ｄの端部から連設された直線状の辺部４０ｅと、辺部４０ｅの端部から連設され、略円弧状を呈する辺部４０ｆと、辺部４０ｆから連設され、直線状を呈する辺部４０ｇと、辺部４０ｇの端部から連設され、略円弧状を呈する辺部４０ｈと、辺部４０ｈの端部から連設された直線状の辺部４０ｉと、辺部４０ｉの端部から連設された直線状の辺部４０ｊと、辺部４０ｊの端部から連設された直線状の辺部４０ｋと、辺部４０ｋの端部から辺部４０ａの背面側の端部まで形成され、内側に膨出した円弧状を呈する辺部４０ｌとにより囲まれた形状を有している。辺部４０ｃと辺部４０ｋは、折れ線Ｃ４０の方向に対して傾斜して形成され、折れ線Ｃ４０から離れるに従い、辺部４０ｃと辺部４０ｋ間の距離が短くなるように形成されている。また、辺部４０ｄ、４０ｇ、４０ｊは、折れ線Ｃ４０と平行に形成されている。また、辺部４０ｅと辺部４０ｉは、折れ線Ｃ４０の方向に対して傾斜して形成され、折れ線Ｃ４０から離れるに従い、辺部４０ｅと辺部４０ｉ間の距離が長くなるように傾斜している。辺部４０ｆは、辺部４０ｅと辺部４０ｇ間のアールを形成し、辺部４０ｈは、辺部４０ｉと辺部４０ｇ間のアールを形成している。辺部４０ｅ〜辺部４０ｉにより、切欠部Ｋ４０が形成されている。この糊代部４０は、左右方向の中心線を介して前後線対称に形成されている。
【００７６】
なお、包装体本体５の展開状態において、辺部１０ｂと辺部２２ｂと辺部４０ｂにより１つの円弧状の辺部が形成され、辺部１０ｄと辺部４０ｌにより１つの円弧状の辺部が形成される。
【００７７】
また、糊代部４０には、折れ線Ｃ４０と平行（略平行としてもよい）な罫線（第１糊代部罫線）Ｗ４０、Ｗ４１が形成され、罫線Ｗ４０は、折れ線Ｃ４０に沿って形成され、また、罫線Ｗ４１は、罫線Ｗ４０の折れ線Ｃ４０とは反対側に形成されている。折れ線Ｃ４０と罫線Ｗ４０間の間隔Ｌ４０と罫線Ｗ４０と罫線Ｗ４１間の間隔Ｌ４１は、同一（略同一としてもよい）に形成され、間隔Ｌ４０は、間隔Ｌ１０ｂと同一（略同一としてもよい）に形成され、間隔Ｌ４１は、間隔Ｌ１１ｂと同一（略同一としてもよい）に形成されている。
【００７８】
なお、糊代部４０は上面部本体２２の外側の面に接着されているとしたが、上面部本体２２の内側の面に接着したものでもよい。また、糊代部４０は底面部１０の右側面側の辺部から折れ線を介して連設されているとしたが、糊代部４０が上面部本体２２の右側面側の辺部から折れ線を介して連設され、底面部１０の外側の面の右側面側の端部領域又は内側の面の右側面側の端部領域に接着したものでもよい。
【００７９】
また、糊代部（第２糊代部）５０は、略台形形状を呈し、糊代部５０の内側の面が上面部本体２２の外側の面の左側面側の端部領域に接着されている。糊代部５０は、包装体本体５の展開状態において、前後方向の中心線を介して左右線対称に形成されていて、糊代部５０は、図４に示すように、折れ線Ｃ５０に沿った辺部５０ａと、辺部５０ａの正面側の端部から連設され、内側に膨出した円弧状を呈する辺部５０ｂと、辺部５０ｂの端部から連設された直線状の辺部５０ｃと、辺部５０ｃの端部から連設された直線状の辺部５０ｄと、辺部５０ｄの端部から連設された直線状の辺部５０ｅと、辺部５０ｅの端部から連設され、略円弧状を呈する辺部５０ｆと、辺部５０ｆから連設され、直線状を呈する辺部５０ｇと、辺部５０ｇの端部から連設され、略円弧状を呈する辺部５０ｈと、辺部５０ｈの端部から連設された直線状の辺部５０ｉと、辺部５０ｉの端部から連設された直線状の辺部５０ｊと、辺部５０ｊの端部から連設された直線状の辺部５０ｋと、辺部５０ｋの端部から辺部５０ａの背面側の端部まで形成され、内側に膨出した円弧状を呈する辺部５０ｌとにより囲まれた形状を有している。辺部５０ｃと辺部５０ｋは、折れ線Ｃ５０の方向に対して傾斜して形成され、折れ線Ｃ５０から離れるに従い、辺部５０ｃと辺部５０ｋ間の距離が短くなるように形成されている。また、辺部５０ｄ、５０ｇ、５０ｊは、折れ線Ｃ５０と平行に形成されている。また、辺部５０ｅと辺部５０ｉは、折れ線Ｃ５０の方向に対して傾斜して形成され、折れ線Ｃ５０から離れるに従い、辺部５０ｅと辺部５０ｉ間の距離が長くなるように傾斜している。辺部５０ｆは、辺部５０ｅと辺部５０ｇ間のアールを形成し、辺部５０ｈは、辺部５０ｉと辺部５０ｇ間のアールを形成している。辺部５０ｅ〜辺部５０ｉにより、切欠部Ｋ５０が形成されている。この糊代部５０は、左右方向の中心線を介して前後線対称に形成されている。
【００８０】
なお、包装体本体５の展開状態において、辺部１０ｈと辺部２２ｈと辺部５０ｂにより１つの円弧状の辺部が形成され、辺部１０ｆと辺部５０ｌにより１つの円弧状の辺部が形成される。
【００８１】
また、糊代部５０には、折れ線Ｃ５０と平行（略平行としてもよい）な罫線（第２糊代部罫線）Ｗ５０、Ｗ５１が形成され、罫線Ｗ５０は、折れ線Ｃ５０に沿って形成され、また、罫線Ｗ５１は、罫線Ｗ５０の折れ線Ｃ５０とは反対側に形成されている。折れ線Ｃ５０と罫線Ｗ５０間の間隔Ｌ５０と罫線Ｗ５０と罫線Ｗ５１間の間隔Ｌ５１は、同一（略同一としてもよい）に形成され、間隔Ｌ５０は、間隔Ｌ１０ｄと同一（略同一としてもよい）に形成され、間隔Ｌ５１は、間隔Ｌ１１ｄと同一（略同一としてもよい）に形成されている。
【００８２】
なお、糊代部５０は上面部本体２２の外側の面に接着されているとしたが、上面部本体２２の内側の面に接着したものでもよい。また、糊代部５０は底面部１０の左側面側の辺部から折れ線を介して連設されているとしたが、糊代部５０が上面部本体２２の左側面側の辺部から折れ線を介して連設され、底面部１０の外側の面の左側面側の端部領域又は内側の面の左側面側の端部領域に接着したものでもよい。
【００８３】
罫線Ｗ４０、Ｗ４１、Ｗ５０、Ｗ５１は、包装体本体５を構成するブランクの内側の面側から押圧した押罫により形成されている。これらの罫線Ｗ４０、Ｗ４１、Ｗ５０、Ｗ５１は、厚みのある被収納物を収納することにより糊代部４０、５０が湾曲しようとする際に、糊代部４０、５０が湾曲しやすいように形成されている。つまり、罫線Ｗ４０、Ｗ４１、Ｗ５０、Ｗ５１は、折曲げ用の罫線である。
【００８４】
また、折れ線Ｃ２０、Ｃ２４、Ｃ２６、Ｃ３０、Ｃ４０、Ｃ５０は直線状であり、これらの折れ線に沿って、罫線が形成されていて、これらの罫線は、包装体本体５を構成するブランクの内側の面側から押圧した押罫により形成されている。なお、折れ線Ｃ４０、Ｃ５０に沿った罫線は、互いに平行な二重の罫線（直線状の２本の罫線）により形成されている。
【００８５】
シート状部材６０は、合成樹脂製のシート状部材であり、具体的には、シート状部材６０は、透明なポリエチレンにより形成されている。なお、シート状部材６０は透明な部材でなくてもよく、半透明等の透光性を有する部材でもよく、透光性を有しない部材でもよい。また、シート状部材６０は、ポリエチレン以外の合成樹脂により形成されたものであってもよい。また、シート状部材６０は、方形状（略方形状としてもよい）を呈し、突状部２４、２６側の辺部６０ａと、右側面側の辺部６０ｂと、折れ線Ｃ２０側の辺部６０ｃと、左側面側の辺部６０ｄとを有している。辺部６０ａ、６０ｃは、折れ線Ｃ２０や折れ線Ｃ２４、Ｃ２６と平行（略平行でもよい）に設けられ、辺部６０ｂ、６０ｄは、辺部２２ｃ、２２ｇと平行（略平行でもよい）で、辺部６０ａ、６０ｃと直角（略直角としてもよい）に設けられている。辺部６０ａは、シート状部材６０の一対の突状部２４、２６側の辺部である先端側辺部である。辺部６０ａ〜６０ｄは直線状を呈している。左右方向の長さＬ６０は、突状部２４の辺部２４ａと突状部２６の辺部２６ａ間の長さＬ２７−１よりも若干短く形成され、少なくとも突状部２４と突状部２６に接着できる長さ（少なくとも突状部２４と突状部２６間の長さＬ２７−２よりも大きい長さ）に形成されている。また、シート状部材６０の前後方向の長さＬ６１は、上面部２０を展開した状態において、突状部２４、２６の先端よりやや基端側から罫線Ｗ２１ａまでの長さに形成され、少なくとも、上面部２０を展開した状態において、突状部２４、２６の先端から折れ線Ｃ２０までの長さＬ２８−１よりも短く形成され、シート状部材６０の３辺に沿って上面部２０に接着するため、折れ線Ｃ２６と辺部２２ｅの折れ線Ｃ２０側の端部間の前後方向の長さＬ２８−２よりも長く形成されている。
【００８６】
シート状部材６０は、上面部２０の内側の面に接着され、略コ字状の接着領域Ｒに設けられた接着剤層を介して接着されている。具体的には、接着領域Ｒは、辺部６０ｂに沿って左右方向に設けられた接着領域Ｒ１と、接着領域Ｒ１の右側面側の端部から連設され、辺部６０ｃに沿って前後方向に設けられた接着領域Ｒ２と、接着領域Ｒ１の左側面側の端部から連設され、辺部６０ｄに沿って前後方向に設けられた接着領域Ｒ３を有している。接着領域Ｒ１は、罫線Ｗ２１ａの近傍から突状部２４の領域まで形成され、これにより、シート状部材６０の辺部６０ｂに沿った領域６０−１は、接着領域Ｒ１を介して上面部本体２２と突状部２４に接着されている。同様に、接着領域Ｒ３は、罫線Ｗ２１ａの近傍から突状部２６の領域まで形成され、これにより、シート状部材６０の辺部６０ｄに沿った領域６０−３は、接着領域Ｒ３を介して上面部本体２２と突状部２６に接着されている。また、シート状部材６０の辺部６０ｃに沿った領域６０−２は、接着領域Ｒ２を介して上面部本体２２に接着されている。これにより、突状部２４、２６を上面部本体２２に対して折り曲げた際に、シート状部材６０も折り曲げた状態となり、突状部２４、２６を上面部本体２２に対して折り返した状態とすることにより、シート状部材６０も折り返した状態となる。
【００８７】
シート状部材６０が上面部２０に接着された状態では、シート状部材６０は、突状部２４、２６の先端（つまり、辺部２４ｃ、辺部２６ｃ）から突出しておらず（つまり、辺部６０ａは、辺部２４ｃ、２６ｃよりも上面部本体２２側にある）、また、突状部２４の右側面側の辺部２４ａから右側面側に突出しておらず（つまり、辺部６０ｂは、辺部２４ａよりも左側面側にある）、突状部２６の左側面側の辺部２６ａから突出していない（つまり、辺部６０ｄは、辺部２６ａよりも右側面側にある）。これにより、突状部２４、２６を上面部本体２２に対して折り返す際に、突状部２４、２６をつかみやすくなり操作がしやすい。
【００８８】
シート状部材６０は、その３辺に沿って上面部本体２２に接着されていることにより、ポケット（ポケット状の収納部）１００が構成される。つまり、ポケット１００は、シート状部材６０における接着領域Ｒよりも内側の領域により構成されている。なお、シート状部材６０における突状部２４、２６に対応した領域は蓋部３０を閉状態とする際に折り返されるので、実質的にポケットとしての機能を有する領域は、シート状部材６０における接着領域Ｒよりも内側の領域で、シート状部材６０における上面部本体２２に対応した領域（上面部本体２２に接した領域）であるといえる。
【００８９】
ポケット１００においては、接着領域Ｒにより三方が閉じた状態であり、突状部２４、２６側に、開口部（第２開口部）Ｋ６２が設けられ、開口部Ｋ６２から被収納物をポケット１００に収納する。つまり、開口部Ｋ６２は、シート状部材６０の背面側の領域と上面部本体２２の背面側の端部（具体的には、辺部２２ｅ）により構成され、ポケット１００においては、上面部本体２２の背面側の端部側が開口している。
【００９０】
また、シート状部材６０は、切欠部Ｋ２２の領域の内側（底面部１０側）に設けられ、シート状部材６０は、切欠部Ｋ２２を内側からカバーするように設けられている。これにより、シート状部材６０は切欠部Ｋ２２から露出し、蓋部３０が本体部７に対して開いた状態では、シート状部材６０が切欠部Ｋ２２から外部に露出した状態となる。
【００９１】
なお、シート状部材６０は、略コ字状の接着領域を介して上面部２０に接着されているとしたが、これには限られず、例えば、Ｕ字状の接着領域やＶ字状の接着領域を介して上面部２０に接着した構成としてもよく、接着領域の形状は、一対の突状部２４、２６側の端部側が開口したポケット状の収納部を構成するものであればよい。また、シート状部材６０の形状も方形状（略方形状としてもよい）には限られず、例えば、開口部Ｋ６２側の辺部（辺部６０ａ）は直線状で折れ線Ｃ２４、Ｃ２６と平行（略平行としてもよい）としつつ、開口部Ｋ６２側とは反対側の辺部は、接着領域の形状に応じた形状としてもよい。つまり、例えば、Ｕ字状の接着領域の場合には、シート状部材６０の開口部Ｋ６２側と反対側の辺部は円弧状としてもよい。
【００９２】
包装体１を組み立てた状態では、図１〜図３に示すように、上面部２０と糊代部４０、５０は底面部１０に対して折り返した状態であり、糊代部４０、５０が上面部本体２２の外側の面に接着されている。また、上面部本体２２の辺部２２ｃは、折れ線Ｃ４０に沿った状態であり、上面部本体２２の辺部２２ｇは、折れ線Ｃ５０に沿った状態となっている。なお、蓋部３０は、初期状態（包装体１を使用する前の状態）では、底面部１０と面一となっていて、蓋部３０は開状態となっている。また、図３に示すように、包装体１の右側面側の端部と突状部２４の右側面側の端部間の左右方向の長さＬ２３は、糊代部４０の左右方向の長さＬ４５よりも大きく形成され、これにより、突状部２４を上面部本体２２に対して外側に折り返しても、突状部２４が糊代部４０に接することはない。同様に、包装体１の左側面側の端部と突状部２６の左側面側の端部間の左右方向の長さＬ２５は、糊代部５０の左右方向の長さＬ５５よりも大きく形成され、これにより、突状部２６を上面部本体２２に対して外側に折り返しても、突状部２６が糊代部５０に接することはない。
【００９３】
包装体１においては、底面部１０と上面部本体２２及びシート状部材６０間の収納空間（つまり、シート状部材６０の上面部２０側とは反対側の空間）が主収納部となり、ポケット１００の収納空間（すなわち、シート状部材６０と上面部２０間の収納空間）が副収納部となる。なお、包装体１は、その展開状態において、前後方向の中心線を介して左右線対称に形成され、包装体本体５及びシート状部材６０は、左右線対称に形成されている。
【００９４】
上記構成の包装体１の使用方法について説明する。包装体１を使用するに当たっては、主収納部とポケット１００のそれぞれに被収納物を収納する。例えば、図８に示すように、開口部Ｋ７から主収納部に被収納物Ｐを収納する。被収納物Ｐは任意であるが、例えば、書籍が挙げられる。その後、図９に示すように、開口部Ｋ６２からポケット１００に被収納物Ｑを収納する。被収納物としては、例えば、被収納物Ｐの送り状やおまけの商品（例えば、被収納物Ｐに関連したグッズ、カード）が挙げられる。なお、シート状部材６０を伸縮性のある素材により形成することにより、厚みのある被収納物を副収納部に入れることが可能となる。図９においては、被収納物Ｑとしてカードの例を示すものである。なお、被収納物Ｑをポケット１００に収納した後に、被収納物Ｐを主収納部に収納してもよい。
【００９５】
図１０に示すように、被収納物Ｐを主収納部に収納するとともに、被収納物Ｑをポケット１００に収納したら、蓋部３０を折れ線Ｃ３０を介して底面部１０に対して折り返した状態として、蓋部３０の先端部３４を上面部本体２２に接着させる。つまり、先端部３４を上面部本体２２に固定させる。先端部３４を上面部本体２２に接着させる際には、予め先端部３４に剥離紙付きの両面接着テープを貼り付けておき、両面接着テープの剥離紙を剥がして上面部本体２２に接着してもよいし、先端部３４に接着剤を塗布して先端部３４を上面部本体２２に接着してもよい。剥離紙付きの両面接着テープを貼り付けておく場合には、例えば、図４の先端部３４においてハッチングした領域に該両面接着テープを貼り付けておく。また、蓋部３０を閉じた状態で、先端部３４と上面部本体２２とに跨る接着テープを外側から貼ってもよい。
【００９６】
なお、蓋部３０を底面部１０に対して折り返して閉状態にする（つまり、開口部Ｋ６２を閉じた状態にする）際に、突状部２４、２６を上面部本体２２に対して外側に折り返して、突状部２４の外側の面と上面部本体２２の外側の面が対向するとともに、突状部２６の外側の面と上面部本体２２の外側の面が対向するようにする。すると、シート状部材６０が突状部２４、２６に接着されているので、図１１〜図１３に示すように、シート状部材６０において、辺部６０ａ側の領域（突状部２４、２６側の領域（先端側の領域））６０Ａが、領域６０Ａ以外の領域６０Ｂに対して外側に折り返した状態となる。つまり、領域６０Ａが領域６０Ｂに対して領域６０Ａの内側が外側となるように反転した状態となる。
【００９７】
突状部２４、２６と領域６０Ａを折り返して、蓋部３０により開口部Ｋ６２を閉じた状態では、蓋部３０が上面部２０に重なり、シート状部材６０の領域６０Ａと突状部２４、２６が、蓋部３０（特に、基端部３２）と上面部本体２２の間に挟まれた状態となっている。
【００９８】
先端部３４が上面部本体２２に接着して開口部Ｋ６２が閉じた状態では、シート状部材６０が折り返した状態となっているので、ポケット１００に収納した被収納物Ｑがポケット１００から飛び出すことがない。なお、蓋部３０が閉じた状態では、被収納物Ｑがポケット１００から飛び出しても包装体１から脱落することはないが、包装体１の輸送中等に被収納物Ｑの少なくとも一部がポケット１００から飛び出した状態になると、蓋部３０を開状態にした際に、被収納物Ｑが包装体１から脱落してしまうおそれがあるが、シート状部材６０が折り返した状態となっているので、そのようなおそれがない。
【００９９】
また、突状部２４、２６を上面部本体２２に対して外側に折り返すことにより、シート状部材６０は辺部６０ａの側に向けて引っ張られることになり、これにより、被収納物Ｑを上面部本体２２の内側の面に向けて押さえることになり、被収納物Ｑを上面部本体２２に固定させることができ、包装体１の輸送中にポケット１００内で被収納物Ｑが移動することがない。この点は、シート状部材６０を伸縮性のある素材により形成することにより、より効果的となる。
【０１００】
なお、底面部１０には、罫線Ｗ１０〜Ｗ１５が形成され、上面部本体２２には、罫線Ｗ２０〜Ｗ２３が形成され、糊代部４０には、罫線Ｗ４０、Ｗ４１が形成され、糊代部５０には、罫線Ｗ５０、Ｗ５１が形成されているので、厚みのある被収納物Ｐや被収納物Ｑを収納する際に、これらの罫線を介して折り曲げればよい。
【０１０１】
次に、蓋部３０を開けて被収納物Ｐ及び被収納物Ｑを取り出すには、切目線Ｋ３２、Ｋ３４を破断して、蓋部３０の基端部３２を開状態とする。切目線Ｋ３２、Ｋ３４を破断するには、開口部Ｋ３０を指を引っかけて、基端部３２を外側に引っ張ればよい。先端部３４は、上面部本体２２に接着されているので、先端部３４は、上面部本体２２上に残ったままとなる。基端部３２が開状態になったら、主収納部に収納された被収納物Ｐとポケット１００に収納された被収納物Ｑを取り出す。
【０１０２】
なお、切目線Ｋ３２、Ｋ３４を破断して基端部３２を開けると、折り返されていた突状部２４、２６は、折り返されていた状態から復帰しようとして、図１４に示すように、上面部本体２２に対して立ち上がった状態となり、シート状部材６０の辺部６０ａ側の領域６０Ａは、該領域以外の領域６０Ｂに対して立ち上がった状態となり、ポケット１００に収納されている被収納物Ｑがポケット１００から脱落するのを防止することができる。
【０１０３】
また、シート状部材６０の辺部６０ａ側の領域（先端側の領域）６０Ａが立ち上がった状態となるので、シート状部材６０の存在を目立たせることができ、シート状部材６０が透明な素材により形成されていても、ユーザーは、シート状部材６０に容易に気づくことができ、これにより、ポケット１００が存在することも容易に気づくことができ、ポケット１００に被収納物が収納されていることを想像させることができる。また、上面部本体２２の切欠部Ｋ２２からポケット１００に収納された被収納物Ｑを視認することができる場合には、それによっても被収納物Ｑの存在を気づかせることができる。なお、突状部２４、２６が正面側又は背面側に傾斜して突状部２４、２６の立ち上がりの高さが低い場合でも、シート状部材６０の先端側の領域が先端側の領域以外の領域に対して折れ曲がった状態となるので、シート状部材６０に気づきやすくなる。
【０１０４】
また、シート状部材６０の辺部６０ａ側の領域が立ち上がった状態となるので、主収納部内に手を入れる場合にシート状部材６０の辺部６０ａ側の領域が邪魔となることがない。
【０１０５】
なお、図１４の状態から突状部２４、２６を上面部本体２２に対して面一の状態とした場合（つまり、切目線Ｋ３２、Ｋ３４を破断して基端部３２を開けた状態とし、突状部２４、２６を上面部本体２２と同一平面状とした状態の場合）には、図１５に示すような状態となり、ポケット１００に収納された被収納物Ｑを取り出す場合には、図１５の状態にするのが好ましい。特に、被収納物Ｑの左右方向の幅が切欠部Ｋ２２の幅（つまり、長さＬ２７−２）よりも長い場合には、図１５のように突状部２４、２６を上面部本体２２に対して面一の状態にする。
【０１０６】
なお、上記の説明においては、蓋部３０に開口部Ｋ３０及び切目線Ｋ３２、Ｋ３４が設けられ、切目線Ｋ３２、Ｋ３４を破断することにより蓋部３０を開ける構成であるとしたが、蓋部３０に２つの互いに平行な切目線により形成された帯状のジッパーを設けて（つまり、該ジッパーは、蓋部３０の右端から左端まで形成されていて、蓋部は、折れ線Ｃ３０側から基端部、ジッパー、先端部の順に形成されている）、該ジッパーを引っ張って取り除くことにより蓋部３０を開ける構成としてもよい。この場合も、基端部から２つの切断予定線を介して先端部が設けられることになる。また、後述の実施例２においても、このような帯状のジッパーを設ける構成としてもよい。
【０１０７】
また、蓋部３０には切目線を設けない構成として、蓋部３０の先端側の領域を接着剤を介して上面部本体２２に接着し、接着された蓋部３０を上面部本体２２から剥がすことにより蓋部３０を開ける構成としてもよい。
【実施例２】
【０１０８】
また、上記の説明においては、包装体１は封筒の形状の包装体であるが、これには限られず、箱状の包装体であってもよい。すなわち、図１６、図１７に示す包装体１’は、包装体本体５’と、合成樹脂製のシート状部材６０とを有し、包装体本体５’は、底面部１０と、底面部１０の各辺から連設された側面部７４、側面部７６、側面部７８と、底面部１０の背面側の辺部から連設された蓋部３０と、側面部７８から連設された上面部２０と、側面部７４から連設された第１上面フラップ８０と、側面部７６から連設された第２上面フラップ８２と、側面部７４及び第１上面フラップ８０から折れ線Ｃ９０を介して連設された第１折返し片部９０と、第１折返し片部９０から折れ線を介して連設された糊代部９４と、側面部７６及び第２上面フラップ８２から折れ線Ｃ９２を介して連設された第２折返し片部９２と、第２折返し片部９２から折れ線を介して連設された糊代部９６と、側面部７２と側面部７４間に設けられた折込み片部９８と、側面部７２と側面部７６間に設けられた折込み片部９９とを有している。
【０１０９】
底面部１０は、辺部１０ａと辺部１０ｃと辺部１０ｅと辺部１０ｇとを有し、辺部１０ａと辺部１０ｅは互いに平行な辺部で、辺部１０ａが正面側の辺部で、辺部１０ｅが背面側の辺部であり、辺部１０ｃと辺部１０ｇは、辺部１０ａ、１０ｅと直角をなす互いに平行な辺部で、辺部１０ｃは右側面側の辺部で、辺部１０ｇは左側面側の辺部となる。
【０１１０】
側面部７２は、底面部１０の背面側の辺部から連設され、側面部（第２側面部）７４は、底面部１０の右側面側の辺部から連設され、側面部（第３側面部）７６は、底面部１０の左側面側の辺部から連設され、側面部（第１側面部）７８は、底面部１０の正面側の辺部から連設されている。４つの側面部７２〜７８により側面構成部７０が構成される。
【０１１１】
上面部（特定面部）２０は、側面部７８から連設された上面部本体（特定面部本体）２２と、上面部本体２２から折れ線を介して連設された突状部２４、２６と、上面部本体２２の右側面側の辺部から折れ線を介して連設された差込み片部２８−１と、上面部本体２２の左側面側の辺部から折れ線を介して連設された差込み片部２８−２とを有している。上面部本体２２には、差込み片部３６を差し込むための被差込み部２９が設けられている。
【０１１２】
上面部本体２２は、本体部７の上面部２０以外の面部である底面部１０及び側面部７４〜７８とともに本体部７の収納空間を構成している。
【０１１３】
なお、突状部２４と上面部本体２２間の折れ線Ｃ２４と、突状部２６と上面部本体２２間の折れ線Ｃ２６とは同一直線状にあり、折れ線Ｃ２４、Ｃ２６は、上面部２０と側面部７８間の折れ線Ｃ７８や側面部７８と底面部１０間の折れ線Ｃ２０と平行に形成されている。
【０１１４】
また、実施例１の場合と同様に、上面部本体２２には切欠部Ｋ２２が設けられており、蓋部３０が本体部７に対して開いている状態では、シート状部材６０が切欠部Ｋ２２から外部に露出しているので、ポケット１００の存在に気づきやすくなる。
【０１１５】
また、蓋部３０は、底面部１０の背面側の辺部から連設された側面部７２と、側面部７２から折れ線を介して連設された基端部構成部３２−１、３２−２と、基端部構成部３２−１から切目線Ｋ３６−２を介して連設されるとともに、基端部構成部３２−２から切目線Ｋ３６−３を介して連設された先端部３４とを有し、先端部３４と側面部７２間には、直線状の切込みＫ３６−１が設けられている。また、先端部３４は、先端側（つまり、側面部７２とは反対側）に差込み片部３６を有している。基端部構成部３２−１、３２−１と側面部７２とで基端部３１が構成される。
【０１１６】
また、側面部７４と第１上面フラップ８０間には、差込み片部２８−１を差し込むための被差込み部７４Ｋが設けられ、側面部７６と第２上面フラップ８２間には、差込み片部２８−２を差し込むための被差込み部７６Ｋが設けられている。
【０１１７】
また、第１折返し片部９０は、側面部７４及び第１上面フラップ８０から底面部１０の右側面側の辺部１０ｃに対して４５度の角度をなす折れ線Ｃ９０を介して連設され、第１折返し片部９０には、折れ線Ｃ９０と平行な折れ線Ｃ９１が設けられている。折れ線Ｃ９０の延長線は、底面部１０の辺部１０ａと辺部１０ｃ間の角部（第１角部）に接し、折れ線Ｃ９１の延長線は、側面部７４の正面側で第１上面フラップ８０側の角部（第２角部）に接し、第２折返し片部９２は、側面部７６及び第２上面フラップ８２から底面部１０の左側面側の辺部１０ｇに対して４５度の角度をなす折れ線Ｃ９２を介して連設され、第２折返し片部９２には、折れ線Ｃ９２と平行な折れ線Ｃ９３が設けられている。折れ線Ｃ９２の延長線は、底面部１０の辺部１０ａと辺部１０ｇ間の角部（第３角部）に接し、折れ線Ｃ９３の延長線は、側面部７６の正面側で第２上面フラップ８２側の角部（第４角部）に接する。
【０１１８】
なお、図１６の例では、折れ線Ｃ９０の端部と第１角部の間に隙間があるので、折れ線Ｃ９０の延長線が第１角部に接し、折れ線Ｃ９１と第２角部の間に隙間があるので、折れ線Ｃ９１の延長線が第２角部に接し、折れ線Ｃ９２の端部と第３角部の間に隙間があるので、折れ線Ｃ９２の延長線が第３角部に接し、折れ線Ｃ９３と第４角部の間に隙間があるので、折れ線Ｃ９３の延長線が第４角部に接するが、これらの隙間がない場合には、折れ線Ｃ９０が第１角部に接し、折れ線Ｃ９１が第２角部に接し、折れ線Ｃ９２が第３角部に接し、折れ線Ｃ９３が第４角部に接することになる。
【０１１９】
また、第１折返し片部９０には、開口部Ｋ９０が設けられ、第２折返し片部９２には、開口部Ｋ９２が設けられている。開口部Ｋ９０、Ｋ９２は、ともに、４分の１円状を呈し、第１折返し片部９０、９２の折返しを容易とするために設けられている。
【０１２０】
また、糊代部９４は、折れ線を介して第１糊代部９４ａと第２糊代部９４ｂに区画され、糊代部９６は、折れ線を介して第１糊代部９６ａと第２糊代部９６ｂに区画されている。
【０１２１】
また、包装体本体５’において蓋部３０以外の構成が本体部７となる。包装体本体５’を構成する各部は平板状を呈し、本体部７は、底面部１０、側面部７４〜７８、上面部２０（厳密には、上面部本体２２）の５つの面部を有している。なお、本体部７を構成する面部の数は、上記に限られず、複数であればよい。
【０１２２】
シート状部材６０は、包装体１の場合と同様に、上面部２０の内側の面に接着され、具体的には、上面部本体２２と突状部２４、２６に略コ字状の接着領域Ｒに設けられた接着剤層を介して接着され、シート状部材６０における接着領域Ｒよりも内側の領域によりポケット（ポケット状の収納部）１００が構成される。
【０１２３】
シート状部材６０は、合成樹脂製のシート状部材であり、方形状（略方形状としてもよい）を呈し、突状部２４、２６側の辺部６０ａと、右側面側の辺部６０ｂと、折れ線Ｃ２０側の辺部６０ｃと、左側面側の辺部６０ｄとを有している。辺部６０ａ、６０ｃは、折れ線Ｃ２０や折れ線Ｃ２４、Ｃ２６と平行（略平行でもよい）に設けられ、辺部６０ｂ、６０ｄは、辺部６０ａ、６０ｃと直角（略直角としてもよい）に設けられている。辺部６０ａは、シート状部材６０の一対の突状部２４、２６側の辺部である先端側辺部である。辺部６０ａ〜６０ｄは直線状を呈している。また、シート状部材６０の辺部６０ｂに沿った領域は、接着領域Ｒ１を介して上面部本体２２と突状部２４に接着されており、シート状部材６０の辺部６０ｄに沿った領域は、接着領域Ｒ３を介して上面部本体２２と突状部２６に接着されている。また、シート状部材６０の辺部６０ｃに沿った領域は、接着領域Ｒ２を介して上面部本体２２に接着されている。
【０１２４】
包装体１’においても、本体部７における底面部１０と上面部本体２２及びシート状部材６０間の収納空間（厳密には、底面部１０と上面部本体２２及びシート状部材６０と側面部７４と側面部７６により囲まれた収納空間）（つまり、シート状部材６０の上面部２０側とは反対側の空間）が主収納部となり、ポケット１００の収納空間（すなわち、シート状部材６０と上面部２０間の収納空間）が副収納部となる。なお、包装体１’は、その展開状態において、前後方向の中心線を介して左右線対称に形成され、包装体本体５’及びシート状部材６０は、左右線対称に形成されている。
【０１２５】
包装体１’においては、第１糊代部９４ａを上面部本体２２の端部の内側の面に接着し、第２糊代部９４ｂを側面部７８の端部の内側の面に接着し、第１糊代部９６ａを上面部本体２２の端部の内側の面に接着し、第２糊代部９６ｂを側面部７８の端部の内側の面に接着することにより包装体１’が組み立てられる。
【０１２６】
包装体１’を折り畳んだ状態では、側面部７８が底面部１０に対して折り返した状態であり、側面部７８及び上面部本体２２が底面部１０と略平行になっており、底面部１０と蓋部３０と側面部７４と側面部７６と第１上面フラップ８０と第２上面フラップ８２と折込み片部９８、９９は１つの平板状に広がった状態となっていて、第１折返し片部９０は、折れ線Ｃ９０を介して側面部７４及び第１上面フラップ８０に対して折り返した状態であり、第２折返し片部９２は、折れ線Ｃ９２を介して側面部７６及び第２上面フラップ８２に対して折り返した状態となっている。つまり、第１折返し片部９０は、折れ線Ｃ９０が外側から見て山折りの状態で折曲しているとともに、第２折返し片部９２は、折れ線Ｃ９２が外側から見て山折りの状態で折曲している。
【０１２７】
そして、包装体１’を折り畳んだ状態から包装時の状態に組み立てるには、上面部２０及び側面部７８からなる構成を底面部１０に対して起立させることにより、側面部７４と側面部７６が底面部１０に対して起立して、図１７に示す状態となるので、底面部１０上に被収納物を配置するとともに、ポケット１００に被収納物を収納し、その後、第１上面フラップ８０を側面部７４に対して内側に折曲し、第２上面フラップ８２を側面部７６に対して内側に折曲するとともに、第１折返し片部９０を折れ線Ｃ９１を介して折れ線Ｃ９１が外側から見て谷折りとなるように折り返し、第２折返し片部９２を折れ線Ｃ９３を介して折れ線Ｃ９３が外側から見て谷折りとなるように折り返した状態とする。つまり、第１折返し片部９０は、折れ線Ｃ９１が外側から見て谷折りの状態で折曲した状態となり、第２折返し辺部９２は、折れ線Ｃ９３が外側から見て谷折りの状態で折曲した状態となる。
【０１２８】
そして、差込み片部２８−１を被差込み部７４Ｋに差し込むとともに、差込み片部２８−２を被差込み部７６Ｋに差し込むことにより、包装体本体５’における本体部７が組み立てられる。本体部７を組み立てた状態では、本体部７には蓋部３０側（つまり、背面側）に開口部が設けられる。つまり、開口部は、底面部１０の蓋部３０側の端部と、側面部７４の背面側の辺部と、側面部７６の背面側の辺部と、第１上面フラップ８０と第２上面フラップ８２の背面側の辺部と、上面部２０の背面側の辺部により、これらに囲まれて構成されている。主収納部は、該開口部から連通している。このように、底面部１０に被収納物を配置した状態で本体部７を組み立てることにより、被収納物が主収納部に収納された状態となる。また、本体部７を組み立てた状態では、上面部本体２２は、第１上面フラップ８０と第２上面フラップ８２の外側の面に重なった状態となる。なお、本体部７を組み立てた後に、主収納部やポケット１００に被収納物を収納してもよい。
【０１２９】
その後、一対の折込み片部９８、９９を内側に折り込んだ状態で、側面部７２を起立させるとともに蓋部３０を側面部７２に対して回動させて差込み片部３６を被差込み部２９に差し込むことにより、包装時の状態に組み立てられる。
【０１３０】
差込み片部３６を被差込み部２９に差し込んで、蓋部３０を閉じた状態では、側面部７２〜７８は、底面部１０に対して直角（略直角としてもよい）の状態となり、側面部７２〜７８は、上面部本体２２に対して直角（略直角としてもよい）の状態となり、蓋部３０における基端部構成部３２−１、３２−２と先端部３４と上面部本体２２は、底面部１０に対して略平行（平行としてもよい）の状態となる。
【０１３１】
なお、差込み片部３６を被差込み部２９に差し込んで蓋部３０を閉状態にする際には、包装体１の場合と同様に、突状部２４、２６を上面部本体２２に対して外側に折り返した状態とする。すると、シート状部材６０が突状部２４、２６に接着されているので、シート状部材６０において、辺部６０ａ側の領域（突状部２４、２６側の領域（先端側の領域））６０Ａが、領域６０Ａ以外の領域６０Ｂに対して外側に折り返した状態となる。つまり、領域６０Ａが領域６０Ｂに対して領域６０Ａの内側が外側となるように反転した状態となる。
【０１３２】
突状部２４、２６と領域６０Ａを折り返して、蓋部３０により開口部（主収納部に連通した開口部）を閉じた状態では、蓋部３０が上面部２０に重なり、シート状部材６０の領域６０Ａと突状部２４、２６が、蓋部３０（特に、基端部構成部３２−１、３２−２及び先端部３４）と上面部本体２２の間に挟まれた状態となっている。
【０１３３】
包装体１’においては、蓋部３０が閉じた状態では、シート状部材６０が折り返した状態となっているので、ポケット１００に収納した被収納物がポケット１００から飛び出すことがない。なお、蓋部３０が閉じた状態では、被収納物がポケット１００から飛び出しても包装体１’から脱落することはないが、包装体１’の輸送中等に被収納物の少なくとも一部がポケット１００から飛び出した状態になると、蓋部３０を開状態にした際に、該被収納物が包装体１’から脱落してしまうおそれがあるが、シート状部材６０が折り返した状態となっているので、そのようなおそれがない。
【０１３４】
また、突状部２４、２６を上面部本体２２に対して外側に折り返すことにより、シート状部材６０は辺部６０ａの側に向けて引っ張られることになり、これにより、ポケット１００に収納された被収納物を上面部本体２２の内側の面に向けて押さえることになり、該被収納物を上面部本体２２に固定させることができ、包装体１の輸送中にポケット１００内で被収納物が移動することがない。この点は、シート状部材６０を伸縮性のある素材により形成することにより、より効果的となる。
【０１３５】
次に、蓋部３０を開けて主収納部に収納された被収納物及びポケット１００に収納された被収納物を取り出すには、切目線Ｋ３６−２、Ｋ３６−３を破断することにより、先端部３４と差込み片部３６を蓋部３０から分離して、蓋部３０の基端部３２−１、３２−２と側面部７２を開状態とする。基端部３２−１、３２−２と側面部７２が開状態になったら、主収納部に収納された被収納物とポケット１００に収納された被収納物を取り出す。なお、差込み片部２８−１、２８−２を被差込み部７４Ｋ、７６Ｋから外して、上面部２０の突状部２４、２６側を引き上げて上面部２０を傾斜させた状態とすることにより、主収納部に収納された被収納物とポケット１００に収納された被収納物を取り出すことにより、被収納物の取出しが容易となる。
【０１３６】
なお、切目線Ｋ３６−２、Ｋ３６−３を破断して基端部３２−１、３２−２を開けると、包装体１の場合と同様に、突状部２４、２６は、上面部本体２２に対して立ち上がった状態となり、シート状部材６０の辺部６０ａ側の領域６０Ａは、該領域以外の領域６０Ｂに対して立ち上がった状態となり、ポケット１００に収納されている被収納物がポケット１００から脱落するのを防止することができる。
【０１３７】
また、シート状部材６０の辺部６０ａ側の領域６０Ａが立ち上がった状態となるので、シート状部材６０の存在を目立たせることができ、シート状部材６０が透明な素材により形成されていても、ユーザーは、シート状部材６０に容易に気づくことができ、これにより、ポケット１００が存在することに容易に気づくことができ、ポケット１００に被収納物が収納されていることを想像させることができる。また、上面部本体２２の切欠部Ｋ２２からポケット１００に収納された被収納物を視認することができる場合には、それによっても被収納物Ｑの存在を気づかせることができる。
【０１３８】
また、シート状部材６０の辺部６０ａ側の領域が立ち上がった状態となるので、主収納部内に手を入れる場合にシート状部材６０の辺部６０ａ側の領域が邪魔となることがない。
【０１３９】
なお、上記実施例２の構成において、折れ線Ｃ９０、Ｃ９１と糊代部９４ａを省略し、糊代部９４ｂが側面部７８に接着されるとともに、折れ線Ｃ９２、Ｃ９３と糊代部９６ａを省略し、糊代部９６ｂが側面部７８に接着された構成としてもよい。つまり、側面部７４と第１上面フラップ８０は、第１折返し片部９０の領域まで伸びた構成とし、糊代部９４ｂは、側面部７４から折れ線を介して連設され、側面部７６と第２上面フラップ８２は、第２折返し片部９２の領域まで伸びた構成とし、糊代部９６ｂは、側面部７６から折れ線を介して連設された構成となる。
【０１４０】
また、上記実施例２においては、差込み片部３６を被差込み部２９に差し込むことにより、先端部３４を上面部本体２２に固定させる構成としたが、実施例１のように、先端部３４を上面部本体２２に接着させるか、あるいは、蓋部３０を閉じた状態で、先端部３４と上面部本体２２とに跨る接着テープを外側から貼ることにより、先端部３４を上面部本体２２に固定する構成としてもよい。また、その場合に、蓋部３０に切目線を設けない構成としてもよい。つまり、蓋部３０の先端側の領域を接着剤を介して上面部本体２２に接着し、接着された蓋部３０を上面部本体２２から剥がすことにより蓋部３０を開ける構成としてもよい。
【０１４１】
一方、実施例１においては、先端部３４を上面部本体２２に接着させる構成としたが、実施例２のように、先端部３４に差込み片部を設けるとともに、上面部本体２２に該差込み片部を差し込むための被差込み部を設けて、先端部３４を上面部本体２２に固定させる構成としてもよい。
【符号の説明】
【０１４２】
１、１’  包装体
５、５’  包装体本体
７  本体部
８  スリーブ状部
１０  底面部
２０  上面部
２２  上面部本体
２４、２６  突状部
２８−１、２８−２、３６  差込み片部
２９、７４Ｋ、７６Ｋ  被差込み部
３０  蓋部
３１、３２  基端部
３４  先端部
４０、５０  糊代部
６０  シート状部材
６０Ａ、６０Ｂ、６０−１、６０−２、６０−３  領域
７２、７４、７６、７８  側面部
８０  第１上面フラップ
８２  第２上面フラップ
９０  第１折返し片部
９２  第２折返し片部
１００  ポケット
Ｃ２０、Ｃ２４、Ｃ２６、Ｃ３０、Ｃ４０、Ｃ５０  折れ線
Ｋ７、Ｋ６２  開口部
Ｋ２２  切欠部
Ｋ３０  開口部
Ｋ３２、Ｋ３４  切目線
Ｐ、Ｑ  被収納物
Ｒ、Ｒ１、Ｒ２、Ｒ３  接着領域
Ｗ１０〜Ｗ１５、Ｗ２０〜Ｗ２３、Ｗ４０、Ｗ４１、Ｗ５０、Ｗ５１  罫線
【図１】
2019099209.tif 000003
【図２】
2019099209.tif 000004
【図３】
2019099209.tif 000005
【図４】
2019099209.tif 000006
【図５】
2019099209.tif 000007
【図６】
2019099209.tif 000008
【図７】
2019099209.tif 000009
【図８】
2019099209.tif 000010
【図９】
2019099209.tif 000011
【図１０】
2019099209.tif 000012
【図１１】
2019099209.tif 000013
【図１２】
2019099209.tif 000014
【図１３】
2019099209.tif 000015
【図１４】
2019099209.tif 000016
【図１５】
2019099209.tif 000017
【図１６】
2019099209.tif 000018
【図１７】
2019099209.tif 000019